(57)【要約】  無線通信システム内で制御リソースセット及びそれに対応する探索空間を構成するための方法及び装置であって、この方法は、制御リソースセットの構成を伝送するステップと、制御リソースセットの構成に基づき、制御リソースセットにおける制御チャネルを伝送するステップと、を含む。制御リソースセットは、時間及び周波数リソースを含む制御領域内にある。制御リソースセットの構成は、制御リソースセット内の探索空間の開始シンボルの指示と、制御リソースセットのシンボルの数の指示と、制御リソースセット内の物理リソースブロック（ＰＲＢ）の指示と、ＣＣＥからリソースエレメントグループ（ＲＥＧ）へのマッピングの指示と、を含む。
2020519053.tif 000002
【特許請求の範囲】
【請求項１】
制御リソースセットの構成を伝送するステップと、
前記制御リソースセットの構成に基づき、前記制御リソースセットにおける制御チャネルを伝送するステップと、を含み、
ここで、前記制御リソースセットは、時間及び周波数リソースを含む制御領域内にあり、
前記制御リソースセットの構成は、
前記制御リソースセット内の前記探索空間の開始シンボルの指示と、
前記制御リソースセットのシンボルの数の指示と、
前記制御リソースセット内の物理リソースブロック（ＰＲＢ）の指示と、
ＣＣＥからリソースエレメントグループ（ＲＥＧ）へのマッピングの指示と、を含む
無線通信システム内で制御リソースセット及び対応する探索空間を構成するための方法。
【請求項２】
前記制御リソースセットの構成は、
ＲＥＧ／ＣＣＥから物理リソースエレメントへのマッピングの指示と、
送信ダイバーシティ方式の指示と、
参照信号割り当ての指示と、
物理リソースブロック（ＰＲＢ）バンドリングの指示と、のうちの少なくとも１つ、又は
上記の指示の任意の組合せをさらに含む
請求項１に記載の方法。
【請求項３】
前記ＣＣＥからＲＥＧへのマッピングの指示は、時間優先マッピング又は周波数優先マッピングを含む
請求項１に記載の方法。
【請求項４】
前記ＲＥＧ／ＣＣＥから物理リソースエレメントへのマッピングの指示は、集中式マッピング又は分散式マッピングを含む
請求項１に記載の方法。
【請求項５】
前記送信ダイバーシティ方式の指示は、空間周波数ブロックコード（ＳＦＢＣ）を含む
請求項１に記載の方法。
【請求項６】
前記参照信号割り当ての指示は、参照信号の数、前記参照信号のパターン又はそれらの組合せを含む
請求項１に記載の方法。
【請求項７】
前記ＰＲＢバンドリングの指示は、ＰＲＢバンドリングのサイズを含む
請求項１に記載の方法。
【請求項８】
前記制御リソースセットは、第１の制御リソースセットであり、前記探索空間は、第１の探索空間であり、前記方法は、
第２の制御リソースセットの構成を伝送するステップをさらに含み、
ここで、前記制御チャネルを伝送することは、前記第１の制御リソースセットの構成、前記第２のリソースセットの構成、又は前記第１の制御リソースセットの構成及び前記第２の制御リソースセットの構成の両方に基づき、１つ又は複数の制御チャネルを伝送することを含む
請求項１に記載の方法。
【請求項９】
前記第１の制御リソースセットの構成及び前記第２の制御リソースセットの構成は、少なくとも１つの共通指示を含み、前記少なくとも１つの共通指示は、
前記ＣＣＥからＲＥＧへのマッピングの指示と、
前記ＲＥＧ／ＣＣＥから物理リソースエレメントへのマッピングの指示と、
前記送信ダイバーシティ方式の指示と、
前記参照信号割り当ての指示と、
前記ＰＲＢバンドリングの指示と、
前記制御リソースセットのシンボルの数の指示と、
前記第１の探索空間及び前記第２の制御リソースセットに対応する第２の探索空間の前記開始シンボルの指示と、を含む
請求項８に記載の方法。
【請求項１０】
前記第１の制御リソースセット及び前記第２の制御リソースセットを異なるシンボルにおいて構成する
請求項８に記載の方法。
【請求項１１】
前記第１の制御リソースセット及び前記第２の制御リソースセットを少なくとも１つの共通シンボルにおいて構成する
請求項８に記載の方法。
【請求項１２】
前記第１の制御リソースセット及び前記第２の制御リソースセットを周波数において重なるように構成する
請求項８に記載の方法。
【請求項１３】
前記第１の制御リソースセット及び前記第２の制御リソースセットを周波数において重ならないように構成する
請求項８に記載の方法。
【請求項１４】
前記第１の制御リソースセットの構成及び前記第２の制御リソースセットの構成は、いずれも周波数優先マッピングである前記ＣＣＥからＲＥＧへのマッピングの指示を含み、
前記第１の制御リソースセット及び前記第２の制御リソースセットを同じシンボルグループにおいて構成する
請求項８に記載の方法。
【請求項１５】
前記第１の制御リソースセットの構成及び前記第２の制御リソースセットの構成は、いずれも時間優先マッピングである前記ＣＣＥからＲＥＧへのマッピングの指示を含み、
前記第１の制御リソースセット及び前記第２の制御リソースセットを同じシンボルグループにおいて構成する
請求項８に記載の方法。
【請求項１６】
前記第１の制御リソースセットの構成は、周波数優先マッピングである前記ＣＣＥからＲＥＧへのマッピングの指示を含み、
前記第２の制御リソースセットの構成は、時間優先マッピングである前記ＣＣＥからＲＥＧへのマッピングの指示を含み、
前記第１の制御リソースセット及び前記第２の制御リソースセットを異なるシンボルグループにおいて構成する
請求項８に記載の方法。
【請求項１７】
前記探索空間は、第１の探索空間であり、前記方法は、
前記第１の探索空間の構成を第１のユーザ機器に伝送するステップと、
第２の探索空間の構成を第２のユーザ機器に伝送するステップと、さらに含み、
ここで、前記第１の探索空間及び前記第２の探索空間は、前記制御リソースセットにあり、
前記第１の探索空間及び前記第２の探索空間は、共通ＣＣＥ−ｔｏ−ＲＥＧマッピング、共通ＲＥＧ／ＣＣＥマッピング又はそれらの組合せを含む
請求項１に記載の方法。
【請求項１８】
前記探索空間は、第１の探索空間であり、前記方法は、
前記第１の探索空間の構成及び第２の探索空間の構成をユーザ機器に伝送するステップをさらに含み、ここで、
前記第１の探索空間及び前記第２の探索空間は、異なる制御リソースセットにあり、
前記第１の探索空間及び前記第２の探索空間は、１つ又は複数の共通シンボルにある
請求項１に記載の方法。
【請求項１９】
前記探索空間は、第１の探索空間であり、前記方法は、
第１の探索空間の構成及び第２の探索空間の構成をユーザ機器に伝送するステップをさらに含み、ここで、
前記第１の探索空間及び前記第２の探索空間は、異なる制御リソースセットにあり、
前記第１の制御リソースセット及び前記第２の制御リソースセットは、１つ又は複数の異なるシンボルにある
請求項１に記載の方法。
【請求項２０】
制御リソースセットの構成及び対応する探索空間を受信するステップと、
前記制御リソースセットの構成に基づき、前記制御リソースセットにおける制御チャネルを検出するステップと、を含み、
ここで、前記制御リソースセットは、時間及び周波数リソースを含む制御領域内にあり、前記制御リソースセットの構成は、
前記制御リソースセット内の前記探索空間の開始シンボルの指示と、
前記制御リソースセットのシンボルの数の指示と、
前記制御リソースセット内の物理リソースブロック（ＰＲＢ）の指示と、
ＣＣＥからリソースエレメントグループ（ＲＥＧ）へのマッピングの指示と、を含む
無線通信システム内のユーザ機器のための方法。
【請求項２１】
前記制御リソースセットの構成は、
ＲＥＧ／ＣＣＥから物理リソースエレメントへのマッピングの指示と、
送信ダイバーシティ方式の指示と、
参照信号割り当ての指示と、
物理リソースブロック（ＰＲＢ）バンドリングの指示と、のうちの少なくとも１つ、又は
上記の指示の任意の組合せをさらに含む
請求項２０に記載の方法。
【請求項２２】
前記ＣＣＥからＲＥＧへのマッピングの指示は、時間優先マッピング又は周波数優先マッピングを含む
請求項２０に記載の方法。
【請求項２３】
前記ＲＥＧ／ＣＣＥから物理リソースエレメントへのマッピングの指示は、集中式マッピング又は分散式マッピングを含む
請求項２０に記載の方法。
【請求項２４】
前記送信ダイバーシティ方式の指示は、空間周波数ブロックコード（ＳＦＢＣ）を含む
請求項２０に記載の方法。
【請求項２５】
前記参照信号割り当ての指示は、参照信号の数、前記参照信号のパターン又はそれらの組合せを含む
請求項２０に記載の方法。
【請求項２６】
前記ＰＲＢバンドリングの指示は、ＰＲＢバンドリングのサイズを含む
請求項２０に記載の方法。
【請求項２７】
前記制御リソースセットは、第１の制御リソースセットであり、前記探索空間は、第１の探索空間であり、前記方法は、
第２の制御リソースセットの構成を受信するステップをさらに含み、
ここで、前記制御チャネルを検出することは、前記第１の制御リソースセットの構成、前記第２のリソースセットの構成、又は前記第１の制御リソースセットの構成及び前記第２の制御リソースセットの構成の両方に基づき、１つ又は複数の制御チャネルを検出することを含む
請求項２０に記載の方法。
【請求項２８】
前記第１の制御リソースセットの構成及び前記第２の制御リソースセットの構成は、少なくとも１つの共通指示を含み、前記少なくとも１つの共通指示は、
前記ＣＣＥからＲＥＧへのマッピングの指示と、
前記ＲＥＧ／ＣＣＥから物理リソースエレメントへのマッピングの指示と、
前記送信ダイバーシティ方式の指示と、
前記参照信号割り当ての指示と、
前記ＰＲＢバンドリングの指示と、
前記制御リソースセットのシンボルの数の指示と、
前記第１の探索空間及び前記第２の制御リソースセットに対応する第２の探索空間の前記開始シンボルの指示と、含む
請求項２７に記載の方法。
【請求項２９】
前記第１の制御リソースセット及び前記第２の制御リソースセットを異なるシンボルにおいて構成する
請求項２７に記載の方法。
【請求項３０】
前記第１の制御リソースセット及び前記第２の制御リソースセットを少なくとも１つの共通シンボルにおいて構成する
請求項２７に記載の方法。
【請求項３１】
前記第１の制御リソースセット及び前記第２の制御リソースセットを周波数において重なるように構成する
請求項２７に記載の方法。
【請求項３２】
前記第１の制御リソースセット及び前記第２の制御リソースセットを周波数において重ならないように構成する
請求項２７に記載の方法。
【請求項３３】
前記第１の制御リソースセットの構成及び前記第２の制御リソースセットの構成は、いずれも周波数優先マッピングである前記ＣＣＥからＲＥＧへのマッピングの指示を含み、
前記第１の制御リソースセット及び前記第２の制御リソースセットを同じシンボルグループにおいて構成する
請求項２７に記載の方法。
【請求項３４】
前記第１の制御リソースセットの構成及び前記第２の制御リソースセットの構成は、いずれも時間優先マッピングである前記ＣＣＥからＲＥＧへのマッピングの指示を含み、
前記第１の制御リソースセット及び前記第２の制御リソースセットを同じシンボルグループにおいて構成する
請求項２７に記載の方法。
【請求項３５】
前記第１の制御リソースセットの構成は、周波数優先マッピングである前記ＣＣＥからＲＥＧへのマッピングの指示を含み、
前記第２の制御リソースセットの構成は、時間優先マッピングである前記ＣＣＥからＲＥＧへのマッピングの指示を含み、
前記第１の制御リソースセット及び前記第２の制御リソースセットを異なるシンボルグループにおいて構成する
請求項２７に記載の方法。
【請求項３６】
前記探索空間は、第１の探索空間であり、前記方法は、
第１のユーザ機器に前記第１の探索空間の構成を受信するステップと、
第２のユーザ機器に第２の探索空間の構成を受信するステップと、をさらに含み、ここで、
前記第１の探索空間及び前記第２の探索空間は、前記制御リソースセットにあり、
前記第１の探索空間及び前記第２の探索空間は、共通ＣＣＥ−ｔｏ−ＲＥＧマッピング、共通ＲＥＧ／ＣＣＥマッピング又はそれらの組合せを含む
請求項２０に記載の方法。
【請求項３７】
前記探索空間は、第１の探索空間であり、前記方法は、
ユーザ機器に前記第１の探索空間の構成及び第２の探索空間の構成を受信するステップをさらに含み、ここで、
前記第１の探索空間及び前記第２の探索空間は、異なる制御リソースセットにあり、
前記第１の探索空間及び前記第２の探索空間は、１つ又は複数の共通シンボルにある
請求項２０に記載の方法。
【請求項３８】
前記探索空間は、第１の探索空間であり、前記方法は、
第３のユーザ機器に前記第１の探索空間の構成及び第２の探索空間の構成を受信するステップをさらに含み、ここで、
前記第１の探索空間及び前記第２の探索空間は、異なる制御リソースセットにあり、
前記第１の制御リソースセット及び前記第２の制御リソースセットは、１つ又は複数の異なるシンボルにある
請求項２０に記載の方法。
【請求項３９】
命令を格納するメモリと、
前記メモリに通信可能に結合されるプロセッサーと、を備え、
ここで、前記命令が前記プロセッサーにより実行されると、前記ネットワーク装置に下記の動作を実行させ、前記動作は、
制御リソースセットの構成を伝送することと、
前記制御リソースセットの構成に基づき、前記制御リソースセットにおける制御チャネルを伝送することと、を含み、
ここで、前記制御リソースセットは、時間及び周波数リソースを含む制御領域内にあり、前記制御リソースセットの構成は、
前記制御リソースセット内の探索空間の開始シンボルの指示と、
前記制御リソースセットのシンボルの数の指示と、
前記制御リソースセット内の物理リソースブロック（ＰＲＢ）の指示と、
ＣＣＥからリソースエレメントグループ（ＲＥＧ）へのマッピングの指示と、を含む
ネットワーク装置。
【請求項４０】
前記制御リソースセットの構成は、
ＲＥＧ／ＣＣＥから物理リソースエレメントへのマッピングの指示と、
送信ダイバーシティ方式の指示と、
参照信号割り当ての指示と、
物理リソースブロック（ＰＲＢ）バンドリングの指示と、のうちの少なくとも１つ、又は
上記の指示の任意の組合せをさらに含む
請求項３９に記載の装置。
【請求項４１】
前記ＣＣＥからＲＥＧへのマッピングの指示は、時間優先マッピング又は周波数優先マッピングを含む
請求項３９に記載のネットワーク装置。
【請求項４２】
前記ＲＥＧ／ＣＣＥから物理リソースエレメントへのマッピングの指示は、集中式マッピング又は分散式マッピングを含む
請求項３９に記載のネットワーク装置。
【請求項４３】
前記送信ダイバーシティ方式の指示は、空間周波数ブロックコード（ＳＦＢＣ）を含む
請求項３９に記載のネットワーク装置。
【請求項４４】
前記参照信号割り当ての指示は、参照信号の数、前記参照信号のパターン又はそれらの組合せを含む
請求項３９に記載のネットワーク装置。
【請求項４５】
前記ＰＲＢバンドリングの指示は、ＰＲＢバンドリングのサイズを含む
請求項３９に記載のネットワーク装置。
【請求項４６】
前記制御リソースセットは、第１の制御リソースセットであり、前記探索空間は、第１の探索空間であり、前記プロセッサーにより実行される前記動作は、
第２の制御リソースセットの構成を伝送することをさらに含み、
ここで、前記制御チャネルを伝送することは、前記第１の制御リソースセットの構成、  前記第２のリソースセットの構成、又は前記第１の制御リソースセットの構成及び前記第２の制御リソースセットの構成の両方に基づき、１つ又は複数の制御チャネルを伝送することを含む
請求項３９に記載のネットワーク装置。
【請求項４７】
前記第１の制御リソースセットの構成及び前記第２の制御リソースセットの構成は、少なくとも１つの共通指示を含み、前記少なくとも１つの共通指示は、
前記ＣＣＥからＲＥＧへのマッピングの指示と、
前記ＲＥＧ／ＣＣＥから物理リソースエレメントへのマッピングの指示と、
前記送信ダイバーシティ方式の指示と、
前記参照信号割り当ての指示と、
前記ＰＲＢバンドリングの指示と、
前記制御リソースセットのシンボルの数の指示と、
前記第１の探索空間及び前記第２の制御リソースセットに対応する第２の探索空間の前記開始シンボルの指示と、を含む
請求項４６に記載のネットワーク装置。
【請求項４８】
前記第１の制御リソースセット及び前記第２の制御リソースセットを異なるシンボルにおいて構成する
請求項４６に記載のネットワーク装置。
【請求項４９】
前記第１の制御リソースセット及び前記第２の制御リソースセットを少なくとも１つの共通シンボルにおいて構成する
請求項４６に記載のネットワーク装置。
【請求項５０】
前記第１の制御リソースセット及び前記第２の制御リソースセットを周波数において重なるように構成する
請求項４６に記載のネットワーク装置。
【請求項５１】
前記第１の制御リソースセット及び前記第２の制御リソースセットを周波数において重ならないように構成する
請求項４６に記載のネットワーク装置。
【請求項５２】
前記第１の制御リソースセットの構成及び前記第２の制御リソースセットの構成は、いずれも周波数優先マッピングである前記ＣＣＥからＲＥＧへのマッピングの指示を含み、
前記第１の制御リソースセット及び前記第２の制御リソースセットを同じシンボルグループにおいて構成する
請求項４６に記載のネットワーク装置。
【請求項５３】
前記第１の制御リソースセットの構成及び前記第２の制御リソースセットの構成は、いずれも時間優先マッピングである前記ＣＣＥからＲＥＧへのマッピングの指示を含み、
前記第１の制御リソースセット及び前記第２の制御リソースセットを同じシンボルグループにおいて構成する
請求項４６に記載のネットワーク装置。
【請求項５４】
前記第１の制御リソースセットの構成は、周波数優先マッピングである前記ＣＣＥからＲＥＧへのマッピングの指示を含み、
前記第２の制御リソースセットの構成は、時間優先マッピングである前記ＣＣＥからＲＥＧへのマッピングの指示を含み、
前記第１の制御リソースセット及び前記第２の制御リソースセットを異なるシンボルグループにおいて構成する
請求項４６に記載のネットワーク装置。
【請求項５５】
前記プロセッサーにより実行される前記動作は、
第１の探索空間の構成を第１のユーザ機器に伝送することと、
第２の探索空間の構成を第２のユーザ機器に伝送することと、をさらに含み、ここで、
前記第１の探索空間及び前記第２の探索空間は、前記第１の制御リソースセットにあり、
前記第１の探索空間及び前記第２の探索空間は、共通ＣＣＥ−ｔｏ−ＲＥＧマッピング、共通ＲＥＧ／ＣＣＥマッピング又はそれらの組合せを含む
請求項３９に記載のネットワーク装置。
【請求項５６】
前記プロセッサーにより実行される前記動作は、
第１の探索空間の構成及び第２の探索空間の構成をユーザ機器に伝送することをさらに含み、ここで、
前記第１の探索空間及び前記第２の探索空間は、異なる制御リソースセットにあり、
前記第１の探索空間及び前記第２の探索空間は、１つ又は複数の共通シンボルにある
請求項３９に記載のネットワーク装置。
【請求項５７】
前記プロセッサーにより実行される前記動作は、
前記第１の探索空間の構成及び前記第２の探索空間の構成をユーザ機器に伝送することをさらに含み、ここで、
前記第１の探索空間及び前記第２の探索空間は、異なる制御リソースセットにあり、
前記第１の制御リソースセット及び前記第２の制御リソースセットは、１つ又は複数の異なるシンボルにある
請求項３９に記載のネットワーク装置。
【請求項５８】
命令を格納するメモリと、
前記メモリに通信可能に結合されるプロセッサーと、を備え、
ここで、前記命令が前記プロセッサーにより実行されると、前記プロセッサーに下記の動作を実行させ、前記動作は、
制御リソースセットの構成及び対応する探索空間を受信することと、
前記制御リソースセットの構成に基づき、前記制御リソースセットにおける制御チャネルを検出することと、を含み、
ここで、前記制御リソースセットは、時間及び周波数リソースを含む制御領域内にあり、前記制御リソースセットの構成は、
前記制御リソースセット内の前記探索空間の開始シンボルの指示と、
前記制御リソースセットのシンボルの数の指示と、
前記制御リソースセット内の物理リソースブロック（ＰＲＢ）の指示と、
ＣＣＥからリソースエレメントグループ（ＲＥＧ）へのマッピングの指示と、を含む
ユーザ機器。
【請求項５９】
前記制御リソースセットの構成は、
ＲＥＧ／ＣＣＥから物理リソースエレメントへのマッピングの指示と、
送信ダイバーシティ方式の指示と、
参照信号割り当ての指示と、
物理リソースブロック（ＰＲＢ）バンドリングの指示と、のうちの少なくとも１つ、又は
上記の指示の任意の組合せをさらに含む
請求項５８に記載のユーザ機器。
【請求項６０】
前記ＣＣＥからＲＥＧへのマッピングの指示は、時間優先マッピング又は周波数優先マッピングを含む
請求項５８に記載のユーザ機器。
【請求項６１】
前記ＲＥＧ／ＣＣＥから物理リソースエレメントへのマッピングの指示は、集中式マッピング又は分散式マッピングを含む
請求項５８に記載のユーザ機器。
【請求項６２】
前記送信ダイバーシティ方式の指示は、空間周波数ブロックコード（ＳＦＢＣ）を含む
請求項５８に記載のユーザ機器。
【請求項６３】
前記参照信号割り当ての指示は、参照信号の数、前記参照信号のパターン又はそれらの組合せを含む
請求項５８に記載のユーザ機器。
【請求項６４】
前記ＰＲＢバンドリングの指示は、ＰＲＢバンドリングのサイズを含む
請求項５８に記載のユーザ機器。
【請求項６５】
前記制御リソースセットは、第１の制御リソースセットであり、前記探索空間は、第１の探索空間であり、前記プロセッサーにより実行される前記動作は、
第２の制御リソースセットの構成を受信することをさらに含み、
ここで、前記制御チャネルを検出することは、前記第１の制御リソースセットの構成、前記第２のリソースセットの構成、又は前記第１の制御リソースセットの構成及び前記第２の制御リソースセットの構成の両方に基づき、１つ又は複数の制御チャネルを検出することを含む
請求項５８に記載のユーザ機器。
【請求項６６】
前記第１の制御リソースセットの構成及び前記第２の制御リソースセットの構成は、少なくとも１つの共通指示を含み、前記少なくとも１つの共通指示は、
前記ＣＣＥからＲＥＧへのマッピングの指示と、
前記ＲＥＧ／ＣＣＥから物理リソースエレメントへのマッピングの指示と、
前記送信ダイバーシティ方式の指示と、
前記参照信号割り当ての指示と、
前記ＰＲＢバンドリングの指示と、
前記制御リソースセットのシンボルの数の指示と、
前記第１の探索空間及び前記第２の制御リソースセットに対応する第２の探索空間の前記開始シンボルの指示と、を含む
請求項６５に記載のユーザ機器。
【請求項６７】
前記第１の制御リソースセット及び前記第２の制御リソースセットを異なるシンボルにおいて構成する
請求項６５に記載のユーザ機器。
【請求項６８】
前記第１の制御リソースセット及び前記第２の制御リソースセットを少なくとも１つの共通シンボルにおいて構成する
請求項６５に記載のユーザ機器。
【請求項６９】
前記第１の制御リソースセット及び前記第２の制御リソースセットを周波数において重なるように構成する
請求項６５に記載のユーザ機器。
【請求項７０】
前記第１の制御リソースセット及び前記第２の制御リソースセットを周波数において重ならないように構成する
請求項６５に記載のユーザ機器。
【請求項７１】
前記第１の制御リソースセットの構成及び前記第２の制御リソースセットの構成は、いずれも周波数優先マッピングである前記ＣＣＥからＲＥＧへのマッピングの指示を含み、
前記第１の制御リソースセット及び前記第２の制御リソースセットを同じシンボルグループにおいて構成する
請求項６５に記載のユーザ機器。
【請求項７２】
前記第１の制御リソースセットの構成及び前記第２の制御リソースセットの構成は、いずれも時間優先マッピングである前記ＣＣＥからＲＥＧへのマッピングの指示を含み、
前記第１の制御リソースセット及び前記第２の制御リソースセットを同じシンボルグループにおいて構成する
請求項６５に記載のユーザ機器。
【請求項７３】
前記第１の制御リソースセットの構成は、周波数優先マッピングである前記ＣＣＥからＲＥＧへのマッピングの指示を含み、
前記第２の制御リソースセットの構成は、時間優先マッピングである前記ＣＣＥからＲＥＧへのマッピングの指示を含み、
前記第１の制御リソースセット及び前記第２の制御リソースセットを異なるシンボルグループにおいて構成する
請求項６５に記載のユーザ機器。
【請求項７４】
前記プロセッサーにより実行される動作は、
第１のユーザ機器に第１の探索空間の構成を受信することと、
第２のユーザ機器に第２の探索空間の構成を受信することと、をさらに含み、ここで、
前記第１の探索空間及び前記第２の探索空間は、前記第１の制御リソースセットにあり、
前記第１の探索空間及び前記第２の探索空間は、共通ＣＣＥ−ｔｏ−ＲＥＧマッピング、共通ＲＥＧ／ＣＣＥマッピング又はそれらの組合せを含む
請求項５８に記載のユーザ機器。
【請求項７５】
前記プロセッサーにより実行される動作は、
ユーザ機器に第１の探索空間の構成及び第２の探索空間の構成を受信することをさらに含み、ここで、
前記第１の探索空間及び前記第２の探索空間は、異なる制御リソースセットにあり、
前記第１の探索空間及び前記第２の探索空間は、１つ又は複数の共通シンボルにある
請求項５８に記載のユーザ機器。
【請求項７６】
前記プロセッサーにより実行される動作は、
ユーザ機器に前記第１の探索空間の構成及び前記第２の探索空間の構成を受信することをさらに含み、ここで、
前記第１の探索空間及び前記第２の探索空間は、異なる制御リソースセットにあり、
前記第１の制御リソースセット及び前記第２の制御リソースセットは、１つ又は複数の異なるシンボルにある
請求項５８に記載のユーザ機器。
【請求項７７】
装置の１つ又は複数のプロセッサーにより実行されて、無線通信システム内で制御リソースセット及び対応する探索空間を構成するための方法を実行させる命令を格納する非一時的コンピュータ読み取り可能な媒体であって、前記方法は、
制御リソースセットの構成を伝送するステップと、
前記制御リソースセットの構成に基づき、前記制御リソースセットにおける制御チャネルを伝送するステップと、を含み、
ここで、前記制御リソースセットは、時間及び周波数リソースを含む制御領域内にあり、前記制御リソースセットの構成は、
前記制御リソースセット内の前記探索空間の開始シンボルの指示と、
前記制御リソースセットのシンボルの数の指示と、
前記制御リソースセット内の物理リソースブロック（ＰＲＢ）の指示と、
ＣＣＥからリソースエレメントグループ（ＲＥＧ）へのマッピングの指示と、を含む
非一時的コンピュータ読み取り可能な媒体。
【請求項７８】
装置の１つ又は複数のプロセッサーにより実行されて、無線通信機器に用いられる方法を実行させる命令を格納する非一時的コンピュータ読み取り可能な媒体であって、前記方法は、
制御リソースセットの構成及び対応する探索空間を受信するステップと、
前記制御リソースセットの構成に基づき、前記制御リソースセットにおける制御チャネルを検出するステップと、を含み、
ここで、前記制御リソースセットは、時間及び周波数リソースを含む制御領域内にあり、前記制御リソースセットの構成は、
前記制御リソースセット内の前記探索空間の開始シンボルの指示と、
前記制御リソースセットのシンボルの数の指示と、
前記制御リソースセット内の物理リソースブロック（ＰＲＢ）の指示と、
ＣＣＥからリソースエレメントグループ（ＲＥＧ）へのマッピングの指示と、を含む
非一時的コンピュータ読み取り可能な媒体。
【発明の詳細な説明】
【関連出願の相互参照】
【０００１】
本願は、２０１７年４月３日に出願された米国仮特許出願第６２／４８０，７０２号の優先権を主張するものであり、上記特許出願の内容全体を参照により本明細書に援用する。
【技術分野】
【０００２】
本発明は、通信システムに関し、特に無線通信システム内で制御リソースセットを構成するための方法及び装置に関する。
【背景技術】
【０００３】
ロングタームエボリューション（ＬＴＥ）システムでは、幾つかの直交周波数分割多重化（ＯＦＤＭ）シンボル及び幾つかの周波数サブキャリアにまたがっている制御領域を割り当てて、物理ダウンリンク制御チャネル（ＰＤＣＣＨ）の伝送のために使用することができる。リソースエレメントは、１つのＯＦＤＭシンボルにおける１つのサブキャリアをカバーする最小のリソース構造として定義される。複数のリソースエレメントは、リソースエレメントグループ（ＲＥＧ）を形成する。ＰＤＣＣＨは、１つ又は複数の制御チャネルエレメント（ＣＣＥ）により搬送され、各制御チャネルエレメントは、ペイロードのサイズ及びチャネル品質によって複数のＲＥＧを含む。制御領域全体に異なるＰＤＣＣＨのＲＥＧがインターリーブ及び拡張されて、時間及び周波数ゲインを実現することができる。ユーザ機器は、それのために提供されるＰＤＣＣＨ情報をどのＲＥＧが搬送するかを知らないため、同じサブフレーム内のユーザ機器のユーザデータを受信する前に、可能なＲＥＧに対してブラインド復号を行って、ユーザ機器のＰＤＣＣＨを受信する必要があることがある。ブラインド復号は、非常に複雑で、大量な計算を行う必要がある。
【０００４】
第５世代（５Ｇ）無線システムのような無線システムでは、同様のチャネル構造をＰＤＣＣＨに使用することができる。無線システムを、広い帯域幅が利用できるより高い周波数（例えば、６ＧＨｚ以上）で展開できる。無線システムでは、ビームフォーミング（ＢＦ）のような幾つかの技術を使用することができる。無線システム内のＰＤＣＣＨもＣＣＥを含むことができ、各ＣＣＥは、１つのＲＥＧグループを含む。しかしながら、制御リソースセットの構成及び異なる属性を持つ異なるリソースセットの共存は、困難になることがある。例えば、アナログＢＦは、１つのビームにより伝送されるＰＤＣＣＨの全てのＲＥＧが１つのＯＦＤＭシンボルにあり、異なるビームにより伝送されるＲＥＧは異なるＯＦＤＭシンボルにあることを要求することがある。これらの技術には、ユーザ機器のＰＤＣＣＨブラインド復号の複雑さを低減するために、柔軟なＰＤＣＣＨ候補及び探索空間が必要である。
【発明の概要】
【発明が解決しようとする課題】
【０００５】
本発明は、無線通信システム内の制御リソース構成のための改善された方法及び装置を提供する。
【課題を解決するための手段】
【０００６】
これらの実施例は、無線通信システム内で制御リソースセット及びそれに対応する探索空間を構成するための方法を含む。この方法は、制御リソースセットの構成を伝送するステップと、制御リソースセットの構成に基づき、制御リソースセットにおける制御チャネルを伝送するステップと、を含み、ここで、制御リソースセットは、時間及び周波数リソースを含む制御領域内にあり、制御リソースセットの構成は、制御リソースセット内の探索空間の開始シンボルの指示と、制御リソースセットのシンボルの数の指示と、制御リソースセット内の物理リソースブロック（ＰＲＢ）の指示と、ＣＣＥからリソースエレメントグループ（ＲＥＧ）へのマッピングの指示と、を含む。
【０００７】
これらの実施例は、無線通信システム内のユーザ機器のための方法をさらに含む。この方法は、制御リソースセットの構成及びそれに対応する探索空間を受信するステップと、制御リソースセットの構成に基づき、制御リソースセットにおける制御チャネルを検出するステップと、を含み、ここで、制御リソースセットは、時間及び周波数リソースを含む制御領域内にあり、制御リソースセットの構成は、制御リソースセット内の探索空間の開始シンボルの指示と、制御リソースセットのシンボルの数の指示と、制御リソースセット内の物理リソースブロック（ＰＲＢ）の指示と、ＣＣＥからリソースエレメントグループ（ＲＥＧ）へのマッピングの指示と、を含む。
【０００８】
これらの実施例は、ネットワーク装置をさらに含む。このネットワーク装置は、複数の命令を格納するメモリと、メモリに通信可能に結合されるプロセッサーと、を備え、ここで、複数の命令がプロセッサーにより実行されると、ネットワーク装置に複数の動作を実行させ、これらの動作は、制御リソースセットの構成を伝送することと、制御リソースセットの構成に基づき、制御リソースセットにおける制御チャネルを伝送することと、を含み、ここで、制御リソースセットは、時間及び周波数リソースを含む制御領域内にあり、制御リソースセットの構成は、制御リソースセット内の探索空間の開始シンボルの指示と、制御リソースセットのシンボルの数の指示と、制御リソースセット内の物理リソースブロック（ＰＲＢ）の指示と、ＣＣＥからリソースエレメントグループ（ＲＥＧ）へのマッピングの指示と、を含む。
【０００９】
これらの実施例は、ユーザ機器をさらに含む。ユーザ機器は、複数の命令を格納するメモリと、メモリに通信可能に結合されるプロセッサーと、を備え、ここで、前記複数の命令が前記プロセッサーにより実行されると、前記プロセッサーに複数の動作を実行させ、これらの動作は、制御リソースセットの構成及びそれに対応する探索空間を受信することと、制御リソースセットの構成に基づき、制御リソースセットにおける制御チャネルを検出することと、を含み、ここで、制御リソースセットは、時間及び周波数リソースを含む制御領域内にあり、制御リソースセットの構成は、制御リソースセット内の探索空間の開始シンボルの指示と、制御リソースセットのシンボルの数の指示と、制御リソースセット内の物理リソースブロック（ＰＲＢ）の指示と、ＣＣＥからリソースエレメントグループ（ＲＥＧ）へのマッピングの指示と、を含む。
【００１０】
これらの実施例は、装置の１つ又は複数のプロセッサーにより実行されて、無線通信システム内で制御リソースセット及びそれに対応する探索空間を構成するための方法を実行させる複数の命令を格納する非一時的コンピュータ読み取り可能な媒体をさらに含む。この方法は、制御リソースセットの構成を伝送するステップと、制御リソースセットの構成に基づき、制御リソースセットにおける制御チャネルを伝送するステップと、を含み、ここで、制御リソースセットは、時間及び周波数リソースを含む制御領域内にあり、制御リソースセットの構成は、制御リソースセット内の探索空間の開始シンボルの指示と、制御リソースセットのシンボルの数の指示と、制御リソースセット内の物理リソースブロック（ＰＲＢ）の指示と、ＣＣＥからリソースエレメントグループ（ＲＥＧ）へのマッピングの指示と、を含む。
【００１１】
これらの実施例は、装置の１つ又は複数のプロセッサーにより実行されて、無線通信機器に用いられる方法を実行させる複数の命令を格納する非一時的コンピュータ読み取り可能な媒体をさらに含む。この方法は、制御リソースセットの構成及びそれに対応する探索空間を受信するステップと、制御リソースセットの構成に基づき、制御リソースセットにおける制御チャネルを検出するステップと、を含み、ここで、制御リソースセットは、時間及び周波数リソースを含む制御領域内にあり、制御リソースセットの構成は、制御リソースセット内の探索空間の開始シンボルの指示と、制御リソースセットのシンボルの数の指示と、制御リソースセット内の物理リソースブロック（ＰＲＢ）の指示と、ＣＣＥからリソースエレメントグループ（ＲＥＧ）へのマッピングの指示と、を含む。
【００１２】
なお、前記一般的な記載及び後述の詳細な記載は、単なる例示的で解釈的な記載であり、本発明を限定しない。
【図面の簡単な説明】
【００１３】
【図１】本発明の幾つかの実施例に係る例示的な無線通信システムを示す図である。
【図２】本発明の幾つかの実施例に係る無線通信システム内の例示的なビームリンクペアの概略図である。
【図３】本発明の幾つかの実施例に係る無線通信システム内の例示的な制御チャネル候補の概略図である。
【図４】本発明の幾つかの実施例に係る無線通信システム内の例示的な制御チャネル構成の概略図である。
【図５】本発明の幾つかの実施例に係る無線通信システム内の例示的な制御チャネル構成の概略図である。
【図６】本発明の幾つかの実施例に係る無線通信システム内の分散式マッピングを有する例示的な制御チャネル構成の概略図である。
【図７】本発明の幾つかの実施例に係る無線通信システム内の集中式マッピングを有する例示的な制御チャネル構成の概略図である。
【図８】本発明の幾つかの実施例に係る無線通信システム内の例示的な制御リソースセット構成の概略図である。
【図９】本発明の幾つかの実施例に係る無線通信システム内の例示的な制御リソースセット構成の概略図である。
【図１０】本発明の幾つかの実施例に係る無線通信システム内の例示的なＣＣＥ−ｔｏ−ＲＥＧ及びＣＣＥ−ｔｏ−ＣＣＨマッピングの概略図である。
【図１１】本発明の幾つかの実施例に係る無線通信システム内の例示的なＣＣＥ−ｔｏ−ＲＥＧ及びＣＣＥ−ｔｏ−ＣＣＨマッピングの概略図である。
【図１２】本発明の幾つかの実施例に係る無線通信システム内の例示的な制御リソースセット構成の概略図である。
【図１３】本発明の幾つかの実施例に係る無線通信システム内の例示的な制御リソースセット構成の概略図である。
【図１４】本発明の幾つかの実施例に係る無線通信システム内の制御リソース構成の例示的な方法の概略図である。
【図１５】本発明の幾つかの実施例に係る無線通信システム内の制御チャネルを検出する例示的な方法の概略図である。
【図１６】本発明の幾つかの実施例に係る無線通信システム内の制御チャネルを送信する例示的なネットワーク装置の概略図である。
【図１７】本発明の幾つかの実施例に係る無線通信システム内の制御チャネルを検出する例示的なユーザ機器の概略図である。
【発明を実施するための形態】
【００１４】
以下、例示的な実施例を詳しく説明し、その例示を図面に示す。以下の記載が図面に関わる場合、特に別の説明がない限り、異なる図面における同一符号は、同じ又は類似する要素を示す。以下の例示的な実施形態に記載の実施例は、本発明と一致する全ての実施例を代表するものではない。即ち、それらは、特許請求の範囲に記載の本発明のある側面に一致する装置及び方法の例に過ぎない。
【００１５】
図１は、本発明の実施例に係る例示的な無線通信システムを示す図である。この無線通信システムは、基地局１２０と、ユーザ機器１４０と、ユーザ機器１６０とを含む。基地局１２０は、無線通信ネットワークのエンドノードである。例えば、基地局１２０は、ＬＴＥシステム内の発展型基地局Ｂ（ｅＮＢ）又は５Ｇ無線システムのｇＮＢであってもよい。基地局１２０は、無線通信システムのシステム情報を搬送する無線信号を伝送する。基地局１２０のカバレッジ１８０内にあるユーザ機器は、システム情報を受信する。例えば、カバレッジ１８０内にあるユーザ機器１４０は、システム情報を受信し、基地局１２０を介してネットワークサービスにアクセスすることができる。
【００１６】
ユーザ機器１４０及び１６０のそれぞれは、いずれも無線通信ネットワーク内のモバイル端末である。例えば、ユーザ機器１４０又は１６０は、スマートフォン、ネットワークインターフェースカード又は機械タイプの端末であってもよい。また、例えばユーザ機器１４０又は１６０は、ＬＴＥシステム又は５Ｇ無線システム内のユーザ機器であってもよい。ユーザ機器１４０及び１６０のそれぞれ、並びに基地局１２０は、いずれも無線信号を送受信することができる通信ユニットを備える。以下の説明は、無線通信システム内でユーザ機器１４０を動作させる態様を説明するものであり、このような説明は、ユーザ機器１６０にも適用されることが理解されるべきである。
【００１７】
ユーザ機器１４０が基地局１２０を介してネットワークサービスにアクセスしようとするとき、基地局１２０から制御信号を受信して、カバレッジ１８０内にある同期化、無線リソース割り当て及びスケジューリングのようなシステム情報を収集する必要があることがある。例えば、５Ｇ無線システム内のユーザ機器１４０は、ＰＤＣＣＨを受信して、物理ダウンリンク共有チャネル内のデータがユーザ機器１４０に送信されたか否かを判断する必要があることがある。したがって、ユーザ機器１４０は、基地局１２０により送信された信号内のＰＤＣＣＨを検出する必要がある。
【００１８】
例えば、５Ｇ無線システムは、ＯＦＤＭ波形を使用して無線通信を行う。従来のＬＴＥセルラーネットワークと同様に、時間フレームに従って通信を測定し、各フレームを複数のスロットに分割し、各スロットには、複数のＯＦＤＭシンボルが含まれ、各シンボルは、複数の周波数サブキャリアにまたがっている。時間（ＯＦＤＭシンボル）及び周波数（サブキャリア）を利用してリソースを限定する。
【００１９】
ＰＤＣＣＨ探索空間は、１つのリソースグループであり、ユーザ機器（例えば、１４０）は、このリソースグループをそのＰＤＣＣＨ候補と想定し、探索及び復号化を試みて、制御情報を取得することができる。一般性を失うことなく、ユーザ機器の場合、ＰＤＣＣＨが伝送を行うために使用されるリソースを構成する例（又は、ユーザ機器が、そのＰＤＣＣＨを監視するように構成されるような幾つかの例）は、以降、スケジューリング（又は、ＰＤＣＣＨ）例と称する。ユーザ機器１４０は、ＰＤＣＣＨ候補の復号に成功するまで、その探索空間内の全てのＰＤＣＣＨ例に対してブラインド復号を行うことができる。ＰＤＣＣＨの復号に成功すると、ユーザ機器１４０は、データを受信及び復号し続け、これらのデータは、物理ダウンリンク共有チャネル（ＰＤＳＣＨ）のようなデータチャネルで基地局から伝送されたものである。ユーザ機器１４０が、その探索空間内のＰＤＣＣＨの復号に失敗した場合、このスケジューリング例に伝送されるＰＤＣＣＨがないと想定することができ、そのＰＤＳＣＨに対して復号を行わないことがある。
【００２０】
５Ｇ無線システムを広い帯域幅が利用できるより高い周波数（例えば、６ＧＨｚ以上）で展開できる。例えば、ビームフォーミング（ＢＦ）を使用して信号強度を増加させ、無線システム内で発生される干渉を減少させることができる。
【００２１】
図２は、本発明の幾つかの実施例に係る無線通信システム内の例示的なビームリンクペアの概略図である。５Ｇ無線システムでは、基地局及びユーザ機器は、いずれもＢＦを送受信して、ＢＦゲインを向上させることができる。図２に示すように、基地局１２０は、ビーム２２１及び２２２を送信し、ユーザ機器１４０は、ビーム２４１及び２４２を受信する。送信ビーム２２１及び受信ビーム２４１は、ビームリンクペア（ＢＬＰ）２３１を形成する。同様に、送信ビーム２２２及び受信ビーム２４２は、ビームリンクペア（ＢＬＰ）２３２を形成する。ＢＬＰ２３１の受信性能は、ＢＬＰ２３２の受信性能と異なることがある。
【００２２】
アナログＢＦ技術によって、基地局は、同じビームでＯＦＤＭシンボル全体を送信することができる。ユーザ機器がそのＰＤＣＣＨを受信できるように確保するために、基地局は、異なる時間に異なるビームを介してユーザ機器にＰＤＣＣＨを送信する。例えば、基地局１２０は、ビーム２２１を介してユーザ機器１４０に第１のシンボルにおけるＰＤＣＣＨを送信し、及び／又はビーム２２２を介してユーザ機器１４０に第２のシンボルにおけるＰＤＣＣＨを送信することができる。ユーザ機器１４０は、ＢＬＰ２３１内のビーム２４１及び／又はＢＬＰ２３２内のビーム２４２を介してそのＰＤＣＣＨを受信することができる。
【００２３】
基地局１２０は、送信ビーム及びシンボルの間で動的に切り替えて、異なるチャネル条件に適応して、ＰＤＣＣＨ伝送を行うことができる。したがって、基地局１２０は、ユーザ機器のためにＰＤＣＣＨ送信ビーム及びシンボルに関するリアルタイム情報を提供することができないことがある。言い換えれば、ＰＤＣＣＨ送信ビーム２２１及び２２２、並びにシンボルは、ユーザ機器１４０にとって透明であることがある。送信ビーム２２１及び２２２、並びにシンボルを知らない場合、ユーザ機器１４０は、制御リソース候補におけるビーム２４１及び２４２を介してそのＰＤＣＣＨを検出及び受信することができる。
【００２４】
したがって、基地局１２０は、ＰＤＣＣＨ伝送を行うために使用されるリソース候補を含む１つ又は複数の制御リソースセット（ＣＯＲＥＳＥＴ）を構成する。ＰＤＣＣＨ伝送を改善させるために、ＣＯＲＥＳＥＴは、同じ又は異なるＢＬＰにおける制御リソースを含むことができる。ＣＯＲＥＳＥＴをシンボルレベル、スロットレベル又はマルチスロットレベルに構成することで、より柔軟な方式でＰＤＣＣＨを伝送することができる。本発明の実施例によれば、ＣＯＲＥＳＥＴを１つの無線リソースグループとして定義してもよく、ユーザ機器１４０のＰＤＣＣＨ探索空間は、このリソースグループ内にあってもよい。ユーザ機器１４０のＣＯＲＥＳＥＴは、ユーザ機器にとって特定であってもよく、ユーザ機器によって異なる。選択的に、ＣＯＲＥＳＥＴを複数のユーザ機器の探索空間として定義してもよい。ユーザ機器の観点から、１つ又は複数のＣＯＲＥＳＥＴの構成を受信し、それに応じて、これらのＣＯＲＥＳＥＴ内でそのＰＤＣＣＨを探索することができる。
【００２５】
図３は、本発明の幾つかの実施例に係る無線通信システム内の例示的な制御チャネル候補の概略図である。５Ｇ無線システムでは、例えば、基地局１２０は、ＰＤＣＣＨを１つ又は複数のＣＣＥを含むように構成し、各ＣＣＥは、１つのＲＥＧグループを含む。基地局１２０は、異なるＣＣＥアグリゲーションレベル（ＡＬ）を構成して、異なるＰＤＣＣＨ性能要求に適応する必要があることがある。各ＣＣＥ  ＡＬは、複数のＰＤＣＣＨ候補を有する。ＰＤＣＣＨ候補は、１つの時間周波数リソースエレメント（ＲＥ）グループである。
【００２６】
例えば、図３に示すように、ＣＣＥ  ＡＬ＝１の場合、基地局１２０は、ＣＣＥ３１１〜３１８を構成し、ここで、それぞれがいずれもＰＤＣＣＨ候補であり、複数のＲＥを含む。この場合、ペイロードサイズ及びチャネル条件に基づき、ＣＣＥ  ＡＬ＝１のとき、基地局１２０は、ＣＣＥ３１１〜３１８のうちの１つを使用してＰＤＣＣＨを伝送する。ＣＣＥ  ＡＬ＝２の場合、基地局１２０は、アグリゲートされたＣＣＥ（Ａｇｇ．ＣＥＣ）３２１〜３２４を構成し、ここで、それぞれがいずれもＰＤＣＣＨ候補であり、２つのＣＣＥを含む。この場合、ペイロードサイズ及びチャネル条件に基づき、ＣＣＥ  ＡＬ＝２のとき、基地局１２０は、Ａｇｇ．ＣＥＣ３２１〜３２４のうちの１つを使用してＰＤＣＣＨを伝送する。ＣＣＥ  ＡＬ＝４の場合、基地局１２０は、Ａｇｇ．ＣＣＥ３４１及び３４２を構成し、ここで、それぞれがいずれもＰＤＣＣＨ候補であり、４つのＣＣＥを含む。この場合、ペイロードサイズ及びチャネル条件に基づき、ＣＣＥ  ＡＬ＝４のとき、基地局１２０は、Ａｇｇ．ＣＣＥ３４１及び３４２のうちの１つを使用してＰＤＣＣＨを伝送する。ＣＣＥ  ＡＬ＝８の場合、基地局１２０は、Ａｇｇ．ＣＣＥ３８１を構成し、ここで、それぞれがいずれもＰＤＣＣＨ候補であり、８つのＣＣＥを含む。この場合、ペイロードサイズ及びチャネル条件に基づき、ＣＣＥ  ＡＬ＝８のとき、基地局１２０は、Ａｇｇ．ＣＣＥ３８１のうちの１つを使用してＰＤＣＣＨを伝送する。
【００２７】
さらに、基地局１２０は、ＣＣＥ  ＡＬが異なる場合、異なるＰＤＣＣＨ候補を構成し、同じ時間周波数ＲＥにこれらのＰＤＣＣＨ候補のうちの全部又は一部を構成することができる。例えば、図３に示すように、基地局１２０は、ＣＣＥ  ＡＬ＝１、２、４、８のとき、１つのＣＯＲＥＳＥＴ内で複数のＰＤＣＣＨ候補を構成することができる。ＣＯＲＥＳＥＴは、ＣＣＥ３１１〜３１８、Ａｇｇ．ＣＣＥ３２１〜３２４、Ａｇｇ．ＣＣＥ３４１及び３４２、並びにＡｇｇ．ＣＣＥ３８１を含む。基地局１２０は、これらのＣＣＥ及びＡｇｇ．ＣＣＥを構成し、それらは互いにＲＥにおいて全体又は部分的に重なる。例えば、基地局１２０は、ＣＣＥの８倍である同じＲＥにおいて図３の全てのＣＣＥ及びＡｇｇ．ＣＣＥを構成することができる。
【００２８】
ＰＤＣＣＨを介してユーザ機器１４０のためにリソースをスケジュールするとき、その時点のチャネル条件下での信号ロバスト性を考慮して、基地局１２０は、１つ又は複数のＰＤＣＣＨ候補の１つ又は複数のＣＣＥ  ＡＬを提供することでＰＤＣＣＨに必要なペイロードに適応することを選択することができる。ユーザ機器１４０は、その探索空間内で１つ又は複数のＰＤＣＣＨ候補を検出及び／又は復号して、そのＰＤＣＣＨを見つけて受信する。
【００２９】
図４は、本発明の幾つかの実施例に係る無線通信システム内の例示的な制御チャネル構成の概略図である。５Ｇ無線の能力に基づき、基地局１２０は、異なるビーム内の異なるＯＦＤＭシンボルにおいてユーザ機器１４０及び／又は１６０のためにＰＤＣＣＨ候補を構成することができる。例えば、図４に示すように、基地局１２０は、無線通信システム内の２つのビーム４２１及び４２２を使用してＰＤＣＣＨを伝送することができ、各ビームは、いずれも異なるシンボルを搬送する。例えば、ビーム４２１は、シンボル４３１を搬送し、ビーム４２２は、シンボル４３２を搬送する。したがって、基地局１２０は、ビーム４２１を利用してシンボル４３１においてＰＤＣＣＨ領域４６０を構成し、ビーム４２２を利用してシンボル４３２においてＰＤＣＣＨ領域４６０を構成することができる。
【００３０】
基地局１２０はまた、ＰＤＣＣＨ＃１のためにＰＤＣＣＨ候補４４１及び４４２を構成し、ＰＤＣＣＨ＃２のためにＰＤＣＣＨ候補４５１及び４５２を構成することができる。図４に示すように、基地局１２０は、それぞれ異なるビームの異なるシンボルにおいてＰＤＣＣＨ候補を構成することができる。また、基地局１２０は、異なるシンボルにおいてＰＤＣＣＨ候補を構成することができる。
【００３１】
例えば、基地局１２０は、それぞれシンボル４３１及び４３２においてＰＤＣＣＨ＃１のＰＤＣＣＨ候補４４１及び４４２を構成することができる。この例では、基地局１２０は、１つのシンボル（即ち、シンボル４３１）においてのみＰＤＣＣＨ候補４４１を構成し、１つのシンボル（即ち、シンボル４３２）においてのみＰＤＣＣＨ候補４４２を構成する。したがって、基地局１２０は、１つのビーム４２１のシンボル４３１におけるその全てのＣＣＥを含むＰＤＣＣＨ候補４４１全体を介してＰＤＣＣＨ＃１を伝送することができる。選択的に、基地局１２０は、別のビーム４２２のシンボル４３２におけるその全てのＣＣＥを含むＰＤＣＣＨ候補４４２全体を介してＰＤＣＣＨ＃１を伝送することができる。
【００３２】
選択的に、基地局１２０は、異なるビームの複数のシンボルではなく、同じビームの複数のシンボルにおいてＰＤＣＣＨ候補を構成することができる。
【００３３】
図５は、本発明の幾つかの実施例に係る無線通信システム内の例示的な制御チャネル構成の概略図である。ユーザ機器の観点から、探索空間をユーザ機器の１つのシンボルにおいて構成することができる。選択的に、複数の探索空間をユーザ機器の複数のシンボルにおいて構成することができ、ここで、各探索空間は、１つのシンボルにある。基地局は、１つのビームのうちの１つのシンボルを伝送することができる。例えば、図５に示すように、基地局１２０は、２つのシンボル５３１及び５３２においてユーザ機器１４０のために２つのＰＤＣＣＨ探索空間５４０及び５５０を構成することができる。ＰＤＣＣＨ探索空間５４０をシンボル５３１において構成し、ＰＤＣＣＨ探索空間５５０をシンボル５３２において構成する。したがって、ユーザ機器１４０の各探索空間を１つのシンボルにおいて構成する。ビーム＃１でシンボル５３１を伝送し、ビーム＃２でシンボル５３１を伝送することができる。
【００３４】
図５に示すように、基地局１２０は、ＰＤＣＣＨ領域５６０に設定される制御領域を構成することができ、ＰＤＣＣＨ領域５６０は、３つのシンボル５３１、５３２及び５３３の全チャネル帯域幅にある。２つの探索空間５４０及び５５０をＰＤＣＣＨ領域５６０の最初の２つのシンボル５３１及び５３２において構成する。基地局１２０は、ユーザ機器１４０のために構成されたＰＤＣＣＨ領域５６０内でシンボル５３１の一部又は全体周波数部分にまたがっているＰＤＣＣＨ探索空間５４０を構成することができる。基地局１２０はまた、幾つかのリソースエレメントにおいてユーザ機器１４０のためにＰＤＣＣＨ探索空間５４０を構成することができ、これらのリソースエレメントは、別のユーザ機器（例えば、ユーザ機器１６０）の探索空間の一部として構成される。
【００３５】
ユーザ機器は、その探索空間内で異なるＣＣＥ  ＡＬを使用してＰＤＣＣＨ候補を探索することができる。例えば、ユーザ機器１４０は、ＰＤＣＣＨ探索空間５４０内でＣＣＥ  ＡＬ＝１、２、８を利用してＰＤＣＣＨ候補を探索することができる。ユーザ機器１４０はまた、ＰＤＣＣＨ探索空間５５０内でＣＣＥ  ＡＬ＝１及び４を利用してＰＤＣＣＨ候補を探索することができる。
【００３６】
図６は、本発明の幾つかの実施例に係る無線通信システム内の分散式マッピングを有する例示的な制御チャネル構成の概略図である。図３に示すように、また上述のように、５Ｇ無線システムでは、ＰＤＣＣＨは、１つ又は複数のＣＣＥを含むことができる。各ＣＣＥは、複数のＲＥＧをさらに含んでもよい。例えば、図６に示すように、基地局１２０は、４つのＲＥＧ６２１、６２２、６２３及び６２４を含むＣＣＥ６１１を構成することができる。基地局１２０はまた、他の４つのＲＥＧ６２５、６２６、６２７及び６２８を含むＣＣＥ６１２を構成することができる。ＲＥＧは、１つのＯＦＤＭシンボルにおいて物理リソースブロック（ＰＲＢ）を含むことができる。
【００３７】
探索空間において、基地局１２０は、時間優先の方式又は周波数優先の方式でＣＣＥ−ｔｏ−ＲＥＧ及びＣＣＥから制御チャネルへ（ＣＣＥ−ｔｏ−ＣＣＨ）のマッピングを構成することができる。基地局１２０が探索空間のために１つのＯＦＤＭシンボルのみを構成すると、基地局１２０は、周波数優先のＣＣＥ−ｔｏ−ＰＤＣＣＨマッピングを利用して周波数優先のＣＣＥ−ｔｏ−ＲＥＧマッピングのみを構成する。基地局１２０は、ユーザ機器１４０及び１６０のためにマッピング方式を別個に指定しなくてもよい。
【００３８】
基地局１２０はまた、ＣＣＥのＲＥＧを集中方式又は分散方式で物理ＲＥＧにマッピングされるように構成することができる。例えば、図６に示すように、基地局１２０は、ＣＣＥ６１１の最初の２つのＲＥＧ６２１及び６２２を２つの物理ＲＥＧ６４１及び６４２にマッピングされるように構成し、第３のＲＥＧ６２３及び第４のＲＥＧ６２４を他の２つの物理ＲＥＧ６４３及び６４４にマッピングされるように構成する。物理ＲＥＧ６４１及び６４２は、物理ＲＥＧ６４３及び６４４から分離されてもよく、即ち、分散方式でマッピングする。
【００３９】
選択的に、基地局１２０は、一定数のＲＥＧをグループ化するように構成されてもよく、それらはまた、特定レベルのチャネル推定品質を取得するために、一定数の復調参照信号（ＤＭＲＳ）を含み、基地局１２０はまた、各ＲＥＧグループを周波数に分散させて、周波数ダイバーシティゲインを利用する。例えば、図６に示すように、基地局１２０は、２つのＲＥＧごとに１つのグループにグループ化するように構成され、このグループはまた、チャネル推定を行うための一定数のＤＭＲＳを含み、基地局１２０はまた複数のグループの２つのＲＥＧを周波数に割り当てて、周波数ダイバーシティゲインを利用する。
【００４０】
図７は、本発明の幾つかの実施例に係る無線通信システム内の集中式マッピングを有する例示的な制御チャネル構成の概略図である。チャネル推定性能のバランスをとり、及び／又は周波数ダイバーシティを利用するために、基地局１２０は、１つのＣＣＥの全てのＲＥＧを周波数における物理ＲＥＧに連続的にマッピングするように構成されてもよい。例えば、図７に示すように、基地局１２０は、ＣＣＥ７１１の全てのＲＥＧ７２１、７２２、７２３及び７２４を連続する物理ＲＥＧ７４１、７４２、７４３及び７４４にマッピングするように構成され、即ち、集中式方式でマッピングする。幾つかの実施例では、基地局１２０はまた、ＣＣＥ７１２の４つのＲＥＧを４つの物理ＲＥＧにマッピングするように構成され、これら４つの物理ＲＥＧは、４つの物理ＲＥＧ７４１〜７４４と連続する。
【００４１】
選択的に、基地局１２０は、１つ又は複数のＣＣＥのＲＥＧを周波数において連続的にマッピングして、周波数選択性又はビームフォーミングゲインを利用するように構成されてもよい。図７では、例えば、基地局１２０は、２つのＣＣＥの８つのＲＥＧを周波数において連続的にマッピングして、周波数選択性又はビームフォーミングゲインから利益を得るように構成される。
【００４２】
図８は、本発明の幾つかの実施例に係る無線通信システム内の例示的な制御リソースセット構成の概略図である。基地局１２０は、分散式マッピング及び集中式マッピングを同時に利用することではなく、分散式マッピング又は集中式マッピングを利用して探索空間を構成することができる。また、基地局１２０は、１つ又は複数のＯＦＤＭシンボルにおいて、異なるマッピング方式を利用して異なる探索空間を構成することができる。さらに、基地局１２０は、異なるユーザ機器を構成することができ、これらのユーザ機器は、同じグループの制御リソースをその探索空間として使用する。選択的に、基地局１２０は、異なるリソースセットを構成することができ、ここで、各リソースセットは、集中式又は分散式マッピングを有する異なるユーザ機器の１つ又は複数の探索空間を含む。幾つかの実施例では、基地局１２０は、制御リソースセットを周波数において重なる又は重ならないように構成する。
【００４３】
例えば、図８に示すように、基地局１２０は、シンボル８３１において集中式ＰＤＣＣＨマッピングを有するリソースセット８４０、及び分散式ＰＤＣＣＨマッピングを有するリソースセット８５０を構成する。図８に示すように、基地局１２０は、分散式ＰＤＣＣＨマッピングを有するリソースセット８５０の一部を集中式ＰＤＣＣＨマッピングを有するリソースセット８４０と重なるように構成することができる。基地局１２０はまた、分散式ＰＤＣＣＨマッピングを有するリソースセット８５０の一部を集中式ＰＤＣＣＨマッピングを有するリソースセット８４０と重ならないように構成することができる。
【００４４】
基地局１２０は、分散式ＰＤＣＣＨマッピングを有するリソースセット８５０、及び集中式ＰＤＣＣＨマッピングを有するリソースセット８４０、即ち、異なるＰＤＣＣＨマッピングを有する異なるリソースセットを構成し、これらのリソースセットをユーザ機器専用の制御チャネル探索空間又はグループ共通制御チャネル探索空間を含むリソースセットに構成することができる。例えば、基地局１２０は、２つのリソースセットを重なるように構成し、ここで、１つのリソースセットは、集中式ＰＤＣＣＨマッピングを有し、ユーザ機器専用の制御チャネル探索空間を含み、別のリソースセットは、分散式ＰＤＣＣＨマッピングを有し、ユーザ機器専用の制御チャネル探索空間を含む。選択的に、基地局１２０はまた、２つのリソースセットを重なるように構成することができ、ここで、１つのリソースセットは、集中式ＰＤＣＣＨマッピングを有し、ユーザ機器専用の制御チャネル探索空間を含み、別のリソースセットは、グループ共通制御チャネル探索空間を含む。
【００４５】
図９は、本発明の幾つかの実施例に係る無線通信システム内の例示的な制御リソースセット構成の概略図である。５Ｇ無線システムでは、例えば、基地局１２０は、１つのＯＦＤＭシンボル又は複数のＯＦＤＭシンボルに基づき、集中式ＰＤＣＣＨマッピング又は分散式ＰＤＣＣＨマッピングを有するリソースセットを構成することができる。例えば、図９に示すように、基地局１２０は、シンボル９３１において集中式ＰＤＣＣＨマッピングを有するリソースセット９４１、及び分散式ＰＤＣＣＨマッピングを有するリソースセット９５１を構成する。基地局１２０はまた、シンボル９３２において分散式ＰＤＣＣＨマッピングを有するリソースセット９５２、及び集中式ＰＤＣＣＨマッピングを有するリソースセット９４２を構成する。異なるＯＦＤＭシンボル９３１及び９３２において、基地局１２０は、集中式及び分散式ＰＤＣＣＨマッピングのために異なるリソースセットの構成をスケジュールすることができる。
【００４６】
即ち、基地局１２０は、１つ又は複数のＯＦＤＭシンボルにおいて1つのタイプのリソースのみを構成する。選択的に、基地局１２０はまた、１つ又は複数のＯＦＤＭシンボルにおいて複数の異なるタイプのリソースセットを構成することができる。例えば、基地局１２０は、第１のＯＦＤＭシンボルにおいて伝送しようとするグループ共通制御チャネル又は共通制御チャネルを構成することができ、分散式ＰＤＣＣＨマッピングを使用して周波数ダイバーシティゲインから利益を得ることができる。したがって、基地局１２０は、第１のＯＦＤＭシンボルにおいて２つのタイプのリソースセットを構成する。集中式ＰＤＣＣＨマッピングを有する１つのリソースセットは、ユーザ機器専用の制御チャネルの探索空間を含む。分散式ＰＤＣＣＨマッピングを有する別のリソースセットは、ユーザ機器専用制御チャネル及びグループ共通制御チャネル又は共通制御チャネルの探索空間を含むことができる。
【００４７】
幾つかの実施例では、基地局１２０は、集中式ＰＤＣＣＨマッピングのためにのみリソースセットを構成することができ、このような集中式ＰＤＣＣＨマッピングは、ユーザ機器専用の制御チャネルの探索空間を搬送する。選択的に、基地局１２０は、各ＯＦＤＭシンボルに１つのタイプのリソースセットのみを構成することができ、このようなタイプのリソースセットは、集中式又は分散式ＰＤＣＣＨマッピングをサポートして、それらの間の衝突を減少させる。
【００４８】
図１０は、本発明の幾つかの実施例に係る無線通信システム内の例示的なＣＣＥ−ｔｏ−ＲＥＧ及びＣＣＥ−ｔｏ−ＣＣＨマッピングの概略図である。５Ｇ無線システムでは、例えば、基地局１２０は、ＰＤＣＣＨのために時間優先のＣＣＥ−ｔｏ−ＲＥＧマッピングと周波数優先のＣＣＥ−ｔｏ−ＣＣＨマッピング（「Ｔ＋Ｆマッピング」と称する）を構成することができる。即ち、基地局１２０は、時間領域優先的に各ＣＣＥのＲＥＧを物理ＲＥＧに順次マッピングし、そして、周波数領域優先的に複数のＣＣＥのＲＥＧを物理ＲＥＧにマッピングする。
【００４９】
例えば、図１０に示すように、基地局１２０は、ＣＣＥ１０１１及び１０１２を構成し、ここで、それぞれがＲＥＧ＃１、＃２、＃３及び＃４を含む。基地局１２０は、まずＣＣＥ１０１１の最初の２つのＲＥＧをＯＦＤＭシンボル１０３１及び１０３２における物理ＲＥＧにマッピングし、そして、ＣＣＥ１０１１の第３のＲＥＧ及び第４のＲＥＧをＯＦＤＭシンボル１０３１及び１０３２における物理ＲＥＧにマッピングするように構成される。同様に、図１０に示すように、基地局１２０は、時間優先のＣＣＥ−ｔｏ−ＲＥＧマッピングによってＣＣＥ１０１２の４つのＲＥＧを物理ＲＥＧにマッピングするように構成される。そして、基地局１２０は、周波数領域優先の方式によってＣＣＥ１０１１の４つのＲＥＧ及びＣＣＥ１０１２の４つのＲＥＧを対応する４つの物理ＲＥＧにマッピングする（即ち、周波数優先のＣＣＥ−ｔｏ−ＣＣＨマッピング）。幾つかの実施例では、図６に示すものと同様に、基地局１２０は、ＣＣＥ１０１１の４つのＲＥＧ及びＣＣＥ１０１２の４つのＲＥＧを４つの別個の物理ＲＥＧにマッピングするように構成されてもよい（即ち、分散式マッピング）。
【００５０】
チャネル推定性能を維持するために、基地局１２０は、２つのＲＥＧを周波数における２つの連続するＰＲＢにマッピングすることができ、したがって、２つの連続するＰＲＢ内のＤＭＲＳは、一緒にチャネル推定を行うために使用されることができる。チャネルの変動が時間によって小さくなると、第１のＯＦＤＭシンボル（例えば、シンボル１０３１）におけるＲＥＧには、ＤＭＲＳが含まれるが、後続のＯＦＤＭシンボル（例えば、シンボル１０３２）におけるＲＥＧには、ＤＭＲＳが含まれないことがある。基地局１２０は、１つのＣＣＥの４つのＲＥＧを１つの単位として分散式周波数にマッピングすることができ、即ち、図１０に示す分散式マッピングである。選択的に、基地局１２０は、１つのＣＣＥの４つのＲＥＧを１つの単位として連続する周波数にマッピングすることができ、即ち、以下で説明するように、図１１に示す集中式マッピングである。
【００５１】
図１１は、本発明の幾つかの実施例に係る無線通信システム内の例示的なＣＣＥ−ｔｏ−ＲＥＧマッピング及びＣＣＥ−ｔｏ−ＣＣＨマッピングの概略図である。図６に示すものと同様に、図１１に示すように、基地局１２０は、ＣＣＥ１１１１からマッピングされた４つの物理ＲＥＧ、及びＣＣＥ１１１２からマッピングされた４つの物理ＲＥＧを２つのシンボル１１３１及び１１３２の周波数において連続するように構成する（即ち、集中式マッピング）。集中式マッピングは、周波数選択性及びビームフォーミングゲインから利益を得ることができ、分散式マッピングは、周波数ダイバーシティゲインから利益を得ることができる。
【００５２】
幾つかの実施例では、基地局１２０は、ＣＣＥ内で偶数のＲＥＧ（例えば、２、４、６、８又はその以上）を構成することで、統一した方式によってＣＣＥ−ｔｏ−ＲＥＧマッピングを促進し、及び／又はセグメント化ＲＥＧが浪費される可能性を回避する。例えば、基地局１２０は、４つのＲＥＧを含むＣＣＥを構成することができる。基地局１２０がＣＯＲＥＳＥＴのために２つのＯＦＤＭシンボルを構成するとき、基地局１２０は、各ＣＣＥのＲＥＧを２つのＰＲＢごとの２つのシンボルのリソースブロックにマッピングする。
【００５３】
図１２は、本発明の幾つかの実施例に係る無線通信システム内の例示的な制御リソースセット構成の概略図である。基地局１２０は、集中式又は分散式ＰＤＣＣＨマッピングを有する異なる制御リソースセットを構成することができる。基地局１２０は、これらの制御リソースセットを重ならない又は重なるように構成することができる。例えば、図１２に示すように、基地局１２０は、時間優先のＣＣＥ−ｔｏ−ＲＥＧマッピング、周波数優先のＣＣＥ−ｔｏ−ＣＣＨマッピング及び集中式マッピングを有するリソースセット１２４１（即ち、Ｔ＋Ｆ集中式ＰＤＣＣＨマッピングを有するリソースセット１２４１）を構成する。基地局１２０はまた、時間優先のＣＣＥ−ｔｏ−ＲＥＧマッピング、周波数優先のＣＣＥ−ｔｏ−ＣＣＨマッピング及び分散式マッピングを有するリソースセット１２５１（即ち、Ｔ＋Ｆ分散式ＰＤＣＣＨマッピングを有するリソースセット１２５１）を構成することができる。幾つかの実施例では、基地局１２０は、重なる、部分的に重なる又は重ならないこの２つのリソースセットを構成することができる。例えば、図１２に示すように、基地局１２０は、リソースセット１２４１及び１２５１を部分的に重なるように構成する。
【００５４】
図１３は、本発明の幾つかの実施例に係る無線通信システム内の例示的な制御リソースセット構成の概略図である。
【００５５】
基地局１２０は、２つのタイプのマッピングを有するリソースセットを構成することができ、ここで、時間優先のＣＣＥ−ｔｏ−ＲＥＧと周波数優先のＣＣＥ−ｔｏ−ＣＣＨマッピング（即ち、図１２及び１３に示すＴ＋Ｆマッピング）、及び周波数優先のＣＣＥ−ｔｏ−ＲＥＧと周波数優先のＣＣＥ−ｔｏ−ＣＣＨマッピング（即ち、図１２及び図１３に示すＦ＋Ｆマッピング）は、異なるＯＦＤＭシンボルにある。図１３に示すように、例えば、基地局１２０は、シンボル１３３１においてＦ＋Ｆ集中式ＰＤＣＣＨマッピングを有するリソースセット１３４１を構成し、シンボル１３３２及び１３３３においてＴ＋Ｆ集中式ＰＤＣＣＨマッピングを有するリソースセット１３４２を構成し、シンボル１３３１においてＦ＋Ｆ分散式ＰＤＣＣＨマッピングを有するリソースセット１３５１を構成し、シンボル１３３２及び１３３３においてＴ＋Ｆ分散式ＰＤＣＣＨマッピングを有するリソースセット１３５２を構成する。基地局１２０は、シンボル１３３１においてＦ＋Ｆ分散式ＰＤＣＣＨマッピングを有するリソースセット１３５１とＦ＋Ｆ集中式ＰＤＣＣＨマッピングを有するリソースセット１３４１が重なる、部分的に重なる又は重ならないように構成されてもよい。
【００５６】
図１３に示すように、基地局１２０は、Ｆ＋Ｆ分散式ＰＤＣＣＨマッピングを有するリソースセット１３５１の一部をシンボル１３３１においてＦ＋Ｆ集中式ＰＤＣＣＨマッピングを有するリソースセット１３４１と重なるように構成し、Ｆ＋Ｆ分散式ＰＤＣＣＨマッピングを有するリソースセット１３５１の別の部分をシンボル１３３１においてＦ＋Ｆ集中式ＰＤＣＣＨマッピングを有するリソースセット１３４１と重ならないように構成する。基地局１２０はまた、Ｔ＋Ｆ集中式ＰＤＣＣＨマッピングを有するリソースセット１３４２をシンボル１３３２及び１３３３においてＴ＋Ｆ分散式ＰＤＣＣＨマッピングを有するリソースセット１３５２と部分的に重なるように構成してもよい。
【００５７】
図１４は、本発明の幾つかの実施例に係る無線通信システム内の制御リソース構成の例示的な方法１４００のフローチャートである。方法１４００は、基地局１２０により実践されることができる。方法１４００は、第１の制御リソースセットの構成を伝送するステップ（ステップ１４１０）と、探索空間の構成を第１のユーザ機器に伝送するステップ（ステップ１４２０）と、制御リソースセットの構成に基づいて制御リソースセットにおける制御チャネルを伝送するステップ（ステップ１４３０）と、を含む。
【００５８】
ステップ１４１０は、制御リソースセットの構成を伝送することを含む。例えば、図１に示すように、基地局１２０は、制御リソースセットの構成をユーザ機器１４０に伝送する。基地局１２０は、時間及び周波数リソースを含む制御領域内で制御リソースセットを構成することができる。例えば、図４に示すように、基地局１２０は、ＰＤＣＣＨ領域４６０内でＰＤＣＣＨ伝送を行うために、ＰＤＣＣＨ候補４４１及び４４２を構成し、ＰＤＣＣＨ領域４６０は、シンボル４３１及び４３２の全帯域幅にある。
【００５９】
ステップ１４２０は、探索空間の構成をユーザ機器に伝送することを含む。例えば、図５に示すように、基地局１２０は、２つのシンボル５３１及び５３２における２つのＰＤＣＣＨ探索空間５４０及び５５０の構成をユーザ機器１４０に伝送する。この構成は、ＰＤＣＣＨ探索空間５４０をシンボル５３１において構成し、ＰＤＣＣＨ探索空間５５０をシンボル５３２において構成することを示す。この構成はまた、ビーム＃１でシンボル５３１を伝送し、ビーム＃２でシンボル５３１を伝送することを示すことができる。
【００６０】
ステップ１４３０は、制御リソースセットの構成に基づいて制御リソースセットにおいて制御チャネルを伝送することを含む。例えば、基地局１２０が図４−図１３を参照して上述のような制御リソースセットを構成した後、基地局１２０は、制御リソースセットの構成に基づいてＰＤＣＣＨを伝送することができる。ユーザ機器１４０は、基地局１２０から受信された制御リソースセットの構成に基づいてそのＰＤＣＣＨを検出及び受信することができる。
【００６１】
幾つかの実施例では、ステップ１４１０は、制御リソースセットの構成を伝送することを含んでもよく、この構成は、制御リソースセット内の探索空間の開始シンボルの指示を含む。例えば、図４に示すように、基地局１２０は、ＰＤＣＣＨ候補４４１及び４４２の制御リソースセットの構成を伝送することができ、この構成は、シンボル４３１が制御リソースセット内の探索空間の開始シンボルである指示を有する。
【００６２】
幾つかの実施例では、ステップ１４１０は、制御リソースセットの構成を伝送することを含んでもよく、この構成は、ＣＣＥ−ｔｏ−ＣＣＨマッピングの指示を含む。例えば、図１０に示すように、基地局１２０は、制御リソースセットの構成を伝送することができ、この構成に含まれる指示は、ＣＣＥ１０１１の４つのＲＥＧ及びＣＣＥ１０１２の４つのＲＥＧが周波数領域優先の方式で対応する４つの物理ＲＥＧにマッピングされること（即ち、周波数優先のＣＣＥ−ｔｏ−ＣＣＨマッピング）である。一方、基地局１２０は、制御リソースセットの構成を伝送することができ、この構成に含まれる指示は、２つのＣＣＥが時間領域優先の方式で対応する物理ＲＥＧにマッピングされること（即ち、時間優先のＣＣＥ−ｔｏ−ＣＣＨマッピング）である。
【００６３】
幾つかの実施例では、ステップ１４１０は、制御リソースセットの構成を伝送することを含んでもよく、この構成は、ＣＣＥ−ｔｏ−ＲＥＧマッピングの指示を含む。例えば、図１０に示すように、基地局１２０は、制御リソースセットの構成を伝送することができ、この構成に含まれる指示は、時間優先のＣＣＥ−ｔｏ−ＲＥＧマッピングによってＣＣＥ１０１２の４つのＲＥＧを物理ＲＥＧにマッピングすることである。一方、基地局１２０は、制御リソースセットの構成を伝送することができ、この構成に含まれる指示は、周波数優先のＣＣＥ−ｔｏ−ＲＥＧマッピングによってＣＣＥの複数のＲＥＧを物理ＲＥＧにマッピングすることである。
【００６４】
幾つかの実施例では、ステップ１４１０は、制御リソースセットの構成を伝送することを含んでもよく、この構成は、ＲＥＧ／ＣＣＥから物理リソースエレメントへのマッピングの指示を含む。例えば、図１０に示すように、基地局１２０は、制御リソースセットの構成を伝送することができ、この構成に含まれる指示は、ＣＣＥ１０１１の４つのＲＥＧ及びＣＣＥ１０１２の４つのＲＥＧが対応する４つの物理ＲＥＧに別個にマッピングされること、即ち、ＲＥＧ／ＣＣＥから物理リソースエレメントへの分散式マッピングである。また、例えば、図１１に示すように、基地局１２０は、制御リソースセットの構成を伝送し、この構成は、ＣＣＥ１１１１の４つのＲＥＧ及びＣＣＥ１１１２の４つのＲＥＧが対応する４つの物理ＲＥＧに連続的にマッピングされること、即ち、ＲＥＧ／ＣＣＥから物理リソースエレメントへの集中式マッピングを指示する。
【００６５】
選択的に、ステップ１４１０は、制御リソースセットの構成を伝送することを含んでもよく、この構成は、送信ダイバーシティ方式の指示を含む。例えば、基地局１２０は、制御リソースセットの構成を伝送することができ、この構成に含まれる指示は、送信ダイバーシティ方式が空間周波数ブロックコード（ＳＦＢＣ）であることである。したがって、基地局１２０は、ＳＦＢＣ送信ダイバーシティ方式によってＰＤＣＣＨをユーザ機器１４０に伝送する。
【００６６】
幾つかの実施例では、ステップ１４１０は、制御リソースセットの構成を伝送することを含んでもよく、この構成は、参照信号割り当ての指示を含む。例えば、基地局１２０は、制御リソースセットの構成を伝送することができ、この構成に含まれる指示は、周期的チャネル状態情報参照信号（ＣＳＩ−ＲＳ）を割り当て、第１０のアンテナポートを使用してＣＳＩ−ＲＳを伝送することである。ＣＳＩ−ＲＳのアンテナポートは、周波数領域及び時間領域におけるＣＳＩ−ＲＳ信号のパターンに関連付けられている。
【００６７】
幾つかの実施例では、ステップ１４１０は、制御リソースセットの構成を伝送することを含んでもよく、この構成は、物理リソースブロック（ＰＲＢ）バンドリングの指示を含む。例えば、図６に示すように、基地局１２０は、制御リソースセットの構成を伝送することができ、この構成は、２つのＲＥＧ６４１及び６４２を1つにバンドリングする指示を有する。したがって、基地局１２０は、バンドリングされたＰＲＢのサイズが２つのＲＥＧに等しいことを指示する。ユーザ機器１４０は、制御リソースセットの構成からこの指示を受信したとき、1つにバンドリングされた２つのＲＥＧ６４１及び６４２におけるＰＤＣＣＨを検出することができる。図１０に示す別の例のように、基地局１２０は、制御リソースセットの構成を伝送することができ、この構成は、時間領域及び周波数領域において４つのＲＥＧを１つにバンドリングする指示を有する。ユーザ機器１４０は、制御リソースセットの構成を受信した後、それに応じて１つにバンドリングされた４つのＲＥＧにおけるＰＤＣＣＨを検出することができる。
【００６８】
選択的に、ステップ１４１０は、制御リソースセットの構成を伝送することを含んでもよく、この構成は、シンボルの数の指示を含む。例えば、図４に示すように、基地局１２０は、制御リソースセットの構成を伝送し、この構成は、制御リソースセットに２つのシンボル４３１及び４３２が含まれる指示を含む。図５の別の例のように、基地局１２０は、制御リソースセットの構成を伝送し、この構成は、制御リソースセットに３つのシンボル５３１、５３２及び５３３が含まれる指示を含む。
【００６９】
幾つかの実施例では、ステップ１４１０は、制御リソースセットの構成を伝送することを含んでもよく、この構成は、物理リソースブロック（ＰＲＢ）を指示する。例えば、図１１に示すように、基地局１２０は、制御リソースセットの構成を伝送し、この構成は、８つのＰＲＢを使用して制御リソースセットを伝送する指示を含む。
【００７０】
ステップ１４１０は、開始ＰＲＢの指示を含む制御リソースセットの構成を伝送することをさらに含んでもよい。例えば、図１１に示すように、基地局１２０は、制御リソースセットの構成を伝送することができ、この構成は、シンボル１１３１における第２のＰＲＢが開始ＰＲＢである指示を含む。ユーザ機器１４０は、開始ＰＲＢの指示を含む制御リソースセットの構成を受信した後、それに応じてＰＤＣＣＨを検出することができる。
【００７１】
幾つかの実施例では、ステップ１４１０は、第１の制御リソースセット及び第２の制御リソースセットの２つの構成を伝送することを含んでもよい。第２の制御リソースセットの構成は、上述のような１つ又は複数の指示を含んでもよく、これらの指示は、第１の制御リソースセットの構成に含まれるものである。基地局１２０が第１の制御リソースセット及び第２の制御リソースセットの構成を伝送するとき、方法１４００のステップ１４３０は、第１の制御リソースセットの構成、第２のリソースセットの構成、又は第１の制御リソースセット及び第２の制御リソースセットの両方の構成に基づいて１つ又は複数の制御チャネルを伝送することを含んでもよい。例えば、図４に示すように、基地局１２０は、ＰＤＣＣＨ候補４４１及び４４２の制御リソースセットの構成を伝送するとともに、ＰＤＣＣＨ候補４５１及び４５２の制御リソースセットの別の構成を伝送する。ステップ１４３０において、基地局１２０は、第１の制御リソースセット及び第２の制御リソースセットの構成に基づき、ＰＤＣＣＨ候補４４１及び４４２の制御リソースセットと、ＰＤＣＣＨ候補４５１及び４５２の制御リソースセットと、のうちのいずれか１つ、又はこの両方のうちの１つ又は複数のＰＤＣＣＨを伝送することができる。
【００７２】
幾つかの実施例では、ステップ１４１０は、第１の制御リソースセットの構成及び第２の制御リソースセットの構成を伝送することを含んでもよく、これらの構成は、少なくとも１つの一般的な指示を含み、この指示は、ＣＣＥ−ｔｏ−ＣＣＨマッピングの指示、ＣＣＥ−ｔｏ−ＲＥＧマッピングの指示、ＲＥＧ／ＣＣＥから物理リソースエレメントへのマッピングの指示、送信ダイバーシティ方式の指示、参照信号割り当ての指示、ＰＲＢバンドリングの指示、シンボル数の指示、第１の制御リソースセット内の探索空間の開始シンボルの指示、ＰＲＢの数の指示又は開始ＰＲＢの指示を含む。
【００７３】
例えば、図４に示すように、基地局１２０は、ＰＤＣＣＨ候補４４１及び４４２の制御リソースセットの構成と、ＰＤＣＣＨ候補４５１及び４５２の制御リソースセットの構成と、を伝送することができ、それらは、少なくとも１つの一般的な指示を含み、この指示は、周波数優先のＣＣＥ−ｔｏ−ＣＣＨマッピングの指示、周波数優先のＣＣＥ−ｔｏ−ＲＥＧマッピングの指示、ＲＥＧ／ＣＣＥから物理リソースエレメントへの集中式マッピングの指示、２つのＲＧＥのＰＲＢバンドリングの指示、シンボル数の指示、制御リソースセット内の探索空間の開始シンボルの指示又はＰＲＢ数の指示を含む。
【００７４】
幾つかの実施例では、ステップ１４１０は、異なるシンボルにおける第１の制御リソースセットの構成及び第２の制御リソースセットの構成を伝送することを含んでもよい。例えば、図５に示すように、基地局１２０は、シンボル５３１及び５３２におけるＰＤＣＣＨ探索空間５４０及び５５０の２つの構成をそれぞれ伝送する。
【００７５】
選択的に、ステップ１４１０は、少なくとも１つの共通シンボルにおける第１の制御リソースセットの構成及び第２の制御リソースセットの構成を伝送することを含んでもよい。例えば、図４に示すように、基地局１２０は、２つの共通シンボル４３１及び４３２におけるＰＤＣＣＨ候補４４１及び４４２の制御リソースセットの構成と、ＰＤＣＣＨ候補４５１及び４５２の第２の制御リソースセットの構成と、を伝送する。
【００７６】
幾つかの実施例では、ステップ１４１０は、周波数において重なる第１の制御リソースセットの構成及び第２の制御リソースセットの構成を伝送することを含んでもよい。例えば、図８に示すように、基地局１２０は、周波数において重なる集中式ＰＤＣＣＨマッピングを有するリソースセット８４０の構成及び分散式ＰＤＣＣＨマッピングを有するリソースセット８５０の構成を伝送する。
【００７７】
選択的に、ステップ１４１０は、周波数において重ならない第１の制御リソースセットの構成及び第２の制御リソースセットの構成を伝送することを含んでもよい。例えば、図４に示すように、基地局１２０は、周波数において重ならないＰＤＣＣＨ候補４４１及び４４２の制御リソースセットの構成と、ＰＤＣＣＨ候補４５１及び４５２の制御リソースセットの構成と、を伝送する。
【００７８】
幾つかの実施例では、ステップ１４１０は、第１の制御リソースセット及び第２の制御リソースセットの構成を伝送することを含んでもよく、この両方は、ＣＣＥ−ｔｏ−ＲＥＧマッピングの指示及びＣＣＥ−ｔｏ−ＣＣＨマッピングの指示を含み、ＣＣＥ−ｔｏ−ＲＥＧマッピングは、周波数優先マッピングであり、ＣＣＥ−ｔｏ−ＣＣＨマッピングも周波数優先マッピングである。また、第１の制御リソースセット及び第２の制御リソースセットを同じシンボルグループにおいて構成する。例えば、図１３に示すように、基地局１２０は、Ｆ＋Ｆ分散式ＰＤＣＣＨマッピングを有するリソースセット１３５１及びＦ＋Ｆ集中式ＰＤＣＣＨマッピングを有するリソースセット１３４１の構成を伝送し、この両方は、いずれもＣＣＥ−ｔｏ−ＲＥＧマッピングの指示及びＣＣＥ−ｔｏ−ＣＣＨマッピングの指示を含み、ＣＣＥ−ｔｏ−ＲＥＧマッピングは、周波数優先マッピングであり、ＣＣＥ−ｔｏ−ＣＣＨマッピングも周波数優先マッピングである。また、Ｆ＋Ｆ分散式ＰＤＣＣＨマッピングを有するリソースセット１３５１及びＦ＋Ｆ集中式ＰＤＣＣＨマッピングを有するリソースセット１３４１を同じシンボル１３３１において構成する。
【００７９】
幾つかの実施例では、ステップ１４１０は、第１の制御リソースセット及び第２の制御リソースセットの構成を伝送することを含んでもよく、それらはいずれもＣＣＥ−ｔｏ−ＲＥＧマッピングの指示及びＣＣＥ−ｔｏ−ＣＣＨマッピングの指示を含み、ＣＣＥ−ｔｏ−ＲＥＧマッピングは、時間優先マッピングであり、ＣＣＥ−ｔｏ−ＣＣＨマッピングは、周波数優先マッピングである。また、第１の制御リソースセット及び第２の制御リソースセットを同じシンボルグループにおいて構成する。例えば、図１３に示すように、基地局１２０は、Ｔ＋Ｆ集中式ＰＤＣＣＨマッピングを有するリソースセット１３４２及びＴ＋Ｆ分散式ＰＤＣＣＨマッピングを有するリソースセット１３５２の構成を伝送し、それらはいずれもＣＣＥ−ｔｏ−ＲＥＧマッピングの指示及びＣＣＥ−ｔｏ−ＣＣＨマッピングの指示を含み、ＣＣＥ−ｔｏ−ＲＥＧマッピングは、時間優先マッピングであり、ＣＣＥ−ｔｏ−ＣＣＨマッピングは、周波数優先マッピングである。また、Ｔ＋Ｆ集中式ＰＤＣＣＨマッピングを有するリソースセット１３４２及びＴ＋Ｆ分散式ＰＤＣＣＨマッピングを有するリソースセット１３５２を同じシンボルグループ１３３２及び１３３３において構成する。
【００８０】
幾つかの実施例では、ステップ１４１０は、第１の制御リソースセットの構成を伝送することを含んでもよく、この構成は、ＣＣＥ−ｔｏ−ＲＥＧマッピングの指示及びＣＣＥ−ｔｏ−ＣＣＨマッピングの指示を含み、ＣＣＥ−ｔｏ−ＲＥＧマッピングは、周波数優先マッピングであり、ＣＣＥ−ｔｏ−ＣＣＨマッピングも周波数優先マッピングである。基地局１２０はまた、第２の制御リソースセットの構成を伝送し、この構成は、ＣＣＥ−ｔｏ−ＲＥＧマッピングの指示及びＣＣＥ−ｔｏ−ＣＣＨマッピングの指示を含み、ＣＣＥ−ｔｏ−ＲＥＧマッピングは、時間優先マッピングであり、ＣＣＥ−ｔｏ−ＣＣＨマッピングは、周波数優先マッピングである。また、第１の制御リソースセット及び第２の制御リソースセットを異なるシンボルグループにおいて構成する。例えば、図１３に示すように、基地局１２０は、Ｆ＋Ｆ分散式ＰＤＣＣＨマッピングを有するリソースセット１３５１及びＴ＋Ｆ分散式ＰＤＣＣＨマッピングを有するリソースセット１３５２の構成を伝送し、これらの構成はいずれもＣＣＥ−ｔｏ−ＣＣＨマッピングの指示を含み、ＣＣＥ−ｔｏ−ＣＣＨマッピングは、周波数優先マッピングである。Ｆ＋Ｆ分散式ＰＤＣＣＨマッピングを有するリソースセット１３５１の構成は、ＣＣＥ−ｔｏ−ＲＥＧマッピングの指示を含み、ＣＣＥ−ｔｏ−ＲＥＧマッピングは、時間優先マッピングである。Ｔ＋Ｆ分散式ＰＤＣＣＨマッピングを有するリソースセット１３５２は、ＣＣＥ−ｔｏ−ＲＥＧマッピングの指示を含み、ＣＣＥ−ｔｏ−ＲＥＧマッピングは、周波数優先マッピングである。また、１つのシンボルグループ１３３１及び別のシンボルクループ１３３２及び１３３３においてＦ＋Ｆ分散式ＰＤＣＣＨマッピングを有するリソースセット１３５１及びＴ＋Ｆ分散式ＰＤＣＣＨマッピングを有するリソースセット１３５２をそれぞれ構成する。
【００８１】
幾つかの実施例では、ステップ１４２０は、第１の探索空間の構成を第１のユーザ機器に伝送し、第２の探索空間の構成を第２のユーザ機器に伝送することを含んでもよい。第１の探索空間及び第２の探索空間は、制御リソースセットにある。第１の探索空間及び第２の探索空間は、共通ＣＣＥ−ｔｏ−ＣＣＨマッピング、共通ＣＣＥ−ｔｏ−ＲＥＧマッピング又は共通ＲＥＧ／ＣＣＥマッピングを含む。例えば、基地局１２０は、図８の集中式ＰＤＣＣＨマッピングを有するリソースセット８４０における第１の探索空間の構成をユーザ機器１４０に伝送し、同じリソースセットにおける第２の探索空間の構成をユーザ機器１６０に伝送する。ユーザ機器１４０の第１の探索空間は、集中式ＰＤＣＣＨマッピングを有するリソースセット８４０におけるＣＣＥ  ＡＬ＝１及び２のときのＰＤＣＣＨ候補を含む。ユーザ機器１６０の第２の探索空間は、集中式ＰＤＣＣＨマッピングを有するリソースセット８４０におけるＣＣＥ  ＡＬ＝４及び８のときのＰＤＣＣＨ候補を含む。集中式ＰＤＣＣＨマッピングを有するリソースセット８４０における第１の探索空間及び第２の探索空間は、集中式ＰＤＣＣＨマッピングを有するリソースセット８４０に使用するために、上述のような共通ＣＣＥ−ｔｏ−ＣＣＨマッピング、共通ＣＣＥ−ｔｏ−ＲＥＧマッピング又は共通ＲＥＧ／ＣＣＥマッピングを含む。
【００８２】
幾つかの実施例では、ステップ１４２０は、第１の探索空間の構成及び第２の探索空間の構成をユーザ機器に伝送することを含んでもよい。第１の探索空間及び第２の探索空間は、異なる制御リソースセットにある。第１の探索空間及び第２の探索空間は、同じ１つ又は複数のシンボルにある。例えば、基地局１２０は、図１２のＴ＋Ｆ集中式ＰＤＣＣＨマッピングを有するリソースセット１２４１における探索空間＃１の構成及び図１２のＴ＋Ｆ分散式ＰＤＣＣＨマッピングを有するリソースセット１２５１における探索空間＃２の別の構成をユーザ機器１４０に伝送することができる。探索空間＃１及び＃２は、異なる制御リソースセットにあるが、それらは同じシンボル１２３１及び１２３２にある。
【００８３】
幾つかの実施例では、ステップ１４２０は、第１の探索空間の構成及び第２の探索空間の構成をユーザ機器に伝送することを含んでもよい。第１の探索空間及び第２の探索空間は、異なる制御リソースセットにある。第１の探索空間及び第２の探索空間は、１つ又は複数の異なるシンボルにある。例えば、基地局１２０は、図１３のＦ＋Ｆ分散式ＰＤＣＣＨマッピングを有するリソースセット１３５１における第１の探索空間の構成及び図１３のＴ＋Ｆ分散式ＰＤＣＣＨマッピングを有するリソースセット１３５１における第２の探索空間の別の構成をユーザ機器１４０に伝送することができる。第１の探索空間及び第２の探索空間は、異なる制御リソースセットにあり、シンボル１３３１、シンボル１３３２及び１３３３にそれぞれある。
【００８４】
図１５は、本発明の幾つかの実施例に係る無線通信システム内の制御チャネルの例示的な検出方法１５００のフローチャートである。方法１５００は、ユーザ機器１４０又は１６０により実践されることができる。方法１５００は、制御リソースセットの構成を受信するステップ（ステップ１５１０）と、ユーザ機器が探索空間の構成を受信するステップ（ステップ１５２０）と、制御リソースセットの構成に基づいて制御リソースセットにおける制御チャネルを検出するステップ（ステップ１５３０）と、を含む。
【００８５】
ステップ１５１０は、制御リソースセットの構成を受信することを含む。例えば、図４に示すように、ユーザ機器１４０は、ＰＤＣＣＨ領域４６０内でＰＤＣＣＨ伝送を行うために、基地局１２０からＰＤＣＣＨ候補４４１及び４４２の制御リソースセットの構成を受信する。ユーザ機器１４０は、この構成により１つ又は複数の指示を決定することができ、これらの指示は、ＰＤＣＣＨ候補４４１及び４４２の制御リソースセット内の探索空間の開始シンボルの指示、ＣＣＥ−ｔｏ−ＣＣＨマッピングの指示、ＣＣＥ−ｔｏ−ＲＥＧマッピングの指示、ＲＥＧ／ＣＣＥから物理リソースエレメントへのマッピングの指示、基地局１２０が使用する送信ダイバーシティ方式の指示、参照信号割り当ての指示、ＰＲＢバンドリングの指示、シンボルの数の指示、物理リソースブロック（ＰＲＢ）の指示及び開始ＰＲＢの指示を含む。
【００８６】
上述のように、基地局１２０は、制御リソースセットの構成を伝送することができ、この構成は、図２〜図１３を参照して上述され、これらの説明に示されている。ユーザ機器１４０は、基地局１２０からの制御リソースセットの構成に基づいてそのＰＤＣＣＨを検出及び受信することができる。
【００８７】
ステップ１５２０は、ユーザ機器が探索空間の構成を受信することを含む。例えば、図５に示すように、ユーザ機器１４０は、基地局１２０から２つのシンボル５３１及び５３２における２つのＰＤＣＣＨ探索空間５４０及び５５０の構成を受信する。この構成は、ＰＤＣＣＨ探索空間５４０がシンボル５３１において構成され、ＰＤＣＣＨ探索空間５５０がシンボル５３２において構成されることを指示する。この構成はまた、ＰＤＣＣＨ探索空間５４０及び５５０のＣＣＥ  ＡＬを指示することができる。選択的に、この構成は、第１のビーム内でシンボル５３１を伝送し、第２のビーム内でシンボル５３１を伝送することを指示する。ユーザ機器１４０は、受信されたＰＤＣＣＨ探索空間５４０及び５５０の構成に基づいてそのＰＤＣＣＨを探索及び検出することができる。
【００８８】
ステップ１５３０は、制御リソースセットの構成に基づいて制御リソースセットにおける制御チャネルを検出することを含む。例えば、ユーザ機器１４０は、受信された構成及びその中の指示に基づいてＰＤＣＣＨ探索空間５４０及び５５０におけるＰＤＣＣＨを検出することができる。例えば、ユーザ機器１４０は、決定された指示に基づき、図９の集中式ＰＤＣＣＨマッピングを有するリソースセット９４１及び９４２内のＰＤＣＣＨを検出することができ、これらの指示は、ＰＤＣＣＨ候補４４１及び４４２の制御リソースセット内の探索空間の開始シンボルの指示、ＣＣＥ−ｔｏ−ＣＣＨマッピングの指示、ＣＣＥ−ｔｏ−ＲＥＧマッピングの指示、ＲＥＧ／ＣＣＥから物理リソースエレメントへのマッピングの指示、基地局１２０が使用する送信ダイバーシティ方式の指示、参照信号割り当ての指示、ＰＲＢバンドリングの指示、シンボルの数の指示、物理リソースブロック（ＰＲＢ）の指示及び開始ＰＲＢの指示を含む。
【００８９】
選択的に、ユーザ機器１４０は、基地局１２０から図２〜図１３を参照して上述された制御リソースセットの１つ又は複数の構成を受信することができる。ユーザ機器１４０は、構成及びその中の指示に基づいて基地局１２０からそのＰＤＣＣＨを検出することができる。
【００９０】
図１６は、本発明の幾つかの実施例に係る無線通信システム内の制御チャネルを伝送するための例示的なネットワーク装置１６００の概略図である。ネットワーク装置１６００は、メモリ１６１０、プロセッサー１６２０、ストレージ１６３０、Ｉ／Ｏインターフェース１６４０及び通信ユニット１６５０を備える。備えられるネットワーク装置１６００のこれらの要素のうちの１つ又は複数は、無線通信システム内で制御チャネルを構成及び／又は伝送するために使用されることができる。これらの要素を、互いにデータを伝送し、命令を送信又は受信するように構成することができる。図１に示す基地局１２０を、ネットワーク装置１６００として構成することができる。ネットワーク装置１６００は、無線通信システム内の基地局、中継局、遠隔無線周波数ユニット、ネットワークノード又はホーム基地局であってもよい。
【００９１】
プロセッサー１６２０は、任意の適切なタイプの汎用又は専用マイクロプロセッサー、デジタル信号プロセッサー又はマイクロコントローラを含む。プロセッサー１６２０は、基地局１２０内の複数のプロセッサーのうちの１つであってもよい。メモリ１６１０及びストレージ１６３０は、任意の適切なタイプの大容量記憶装置を含んでもよく、この大容量記憶装置は、プロセッサー１６２０が動作するために必要な任意のタイプの情報を記憶するように構成される。メモリ１６１０及びストレージ１６３０は、揮発性又は不揮発性、磁気、半導体、テープ、光学、リムーバブル、非リムーバブル又は他のタイプの記憶機器又は有形（即ち、非一時的）コンピュータ読み取り可能な媒体であってもよく、読み取り専用メモリ（ＲＯＭ）、フラッシュメモリ、ダイナミックランダムアクセスメモリ（ＲＡＭ）及びスタティックＲＡＭが含まれるがこれに限定されない。本明細書で開示されるように、メモリ１６１０及び／又はストレージ１６３０を、１つ又は複数のプログラムを格納するように構成することができ、これらのプログラムは、プロセッサー１６２０により実行されて、無線通信システム内で制御リソースセットの構成を伝送する。
【００９２】
また、メモリ１６１０及び／又はストレージ１６３０を、プロセッサー１６２０が使用する情報及びデータを格納するように構成することができる。例えば、メモリ１６１０及び／又はストレージ１６３０を、ユーザ機器の探索空間の潜在的な開始シンボル、送信ダイバーシティ、集中式及び／又は分散式マッピング、周波数優先及び／又は時間優先マッピングを格納するように構成することができる。
【００９３】
Ｉ／Ｏインターフェース１６４０を、ネットワーク装置１６００と他の装置との間の通信を促進するように構成することができる。例えば、Ｉ／Ｏインターフェース１６４０は、システム構成情報を含む別の装置（例えば、コンピュータ）からネットワーク装置１６００のために信号を受信することができる。Ｉ／Ｏインターフェース１６４０はまた、他の装置に伝送された統計資料のデータを出力することができる。
【００９４】
通信ユニット１６５０は、１つ又は複数のセルラー通信モジュールを備えることができ、これらのセルラー通信モジュールは、例えば５Ｇ無線システム、ロングタームエボリューション（ＬＴＥ）、高速パケットアクセス（ＨＳＰＡ）、広帯域符号分割多元接続（ＷＣＤＭＡ）及び／又はグローバルモバイル通信システム（ＧＳＭ）通信モジュールを含む。
【００９５】
プロセッサー１６２０を、通信ユニット１６５０を介して制御リソースセットの構成を伝送するように構成することができる。例えば、図１に示すように、プロセッサー１６２０を、制御リソースセットの構成をユーザ機器１４０に伝送するように構成することができる。プロセッサー１６２０は、時間及び周波数リソースを含む制御領域内で制御リソースセットを構成することができる。例えば、図４に示すように、プロセッサー１６２０は、ＰＤＣＣＨ領域４６０内でＰＤＣＣＨ伝送を行うために、ＰＤＣＣＨ候補４４１及び４４２を構成することができ、ＰＤＣＣＨ領域４６０は、シンボル４３１及び４３１の全帯域幅にある。
【００９６】
また、プロセッサー１６２０を、通信ユニット１６５０を介してユーザ機器に探索空間の構成を伝送するように構成することができる。例えば、図５に示すように、プロセッサー１６２０を、ユーザ機器１４０に２つのシンボル５３１及び５３２における２つのＰＤＣＣＨ探索空間５４０及び５５０の構成を伝送するように構成することができる。この構成は、シンボル５３１にＰＤＣＣＨ探索空間５４０が構成されており、シンボル５３２にＰＤＣＣＨ探索空間５５０が構成されていることを指示する。この構成はまた、第１のビーム内でシンボル５３１を伝送し、第２のビーム内でシンボル５３１を伝送することを指示することができる。
【００９７】
また、プロセッサー１６２０を、通信ユニット１６５０を介して、制御リソースセットの構成に基づき、制御リソースセットにおける制御チャネルを伝送するように構成することができる。例えば、プロセッサー１６２０内で上述のような制御リソースセットを構成した後、プロセッサー１６２０を、制御リソースセットの構成に基づいてＰＤＣＣＨを伝送するように構成することができる。ユーザ機器１４０は、基地局１２０から受信した制御リソースセットの構成に基づいてそのＰＤＣＣＨを検出及び受信することができる。
【００９８】
幾つかの実施例では、プロセッサー１６２０を、制御リソースセットの構成を伝送するように構成することができ、この構成は、制御リソースセット内の探索空間の開始シンボルの指示を含む。例えば、図４に示すように、プロセッサー１６２０を、ＰＤＣＣＨ候補４４１及び４４２の制御リソースセットの構成を伝送するように構成することができ、この構成が有する指示は、シンボル４３１が制御リソースセット内の探索空間の開始シンボルであることである。
【００９９】
幾つかの実施例では、プロセッサー１６２０を、制御リソースセットの構成を伝送するように構成することができ、この構成は、ＣＣＥ−ｔｏ−ＣＣＨマッピングの指示を含む。例えば、図１０に示すように、プロセッサー１６２０を、制御リソースセットの構成を伝送するように構成することができ、この構成は、周波数領域優先の方式でＣＣＥ１０１１の４つのＲＥＧ及びＣＣＥ１０１２の４つのＲＥＧを対応する４つの物理ＲＥＧにマッピングすること、即ち、周波数優先のＣＣＥ−ｔｏ−ＣＣＨマッピングの指示を含む。一方、プロセッサー１６２０を、制御リソースセットの構成を伝送するように構成することができ、この構成は、時間領域優先の方式で２つのＣＣＥを対応する物理ＲＥＧにマッピングすること、即ち、時間優先のＣＣＥ−ｔｏ−ＣＣＨマッピングの指示を含む。
【０１００】
幾つかの実施例では、プロセッサー１６２０を、制御リソースセットの構成を伝送するように構成することができ、この構成は、ＣＣＥ−ｔｏ−ＲＥＧマッピングの指示を含む。例えば、図１０に示すように、プロセッサー１６２０を、制御リソースセットの構成を伝送するように構成することができ、この構成は、時間優先のＣＣＥ−ｔｏ−ＲＥＧマッピングによって、ＣＣＥ１０１２の４つのＲＥＧを物理ＲＥＧにマッピングする指示を含む。一方、プロセッサー１６２０を、制御リソースセットの構成を伝送するように構成することができ、この構成は、周波数優先のＣＣＥ−ｔｏ−ＲＥＧマッピングによって、ＣＣＥの複数のＲＥＧを物理ＲＥＧにマッピングする指示を含む。
【０１０１】
幾つかの実施例では、プロセッサー１６２０を、制御リソースセットの構成を伝送するように構成することができ、この構成は、ＲＥＧ／ＣＣＥから物理リソースエレメントへのマッピングの指示を含む。例えば、図１０に示すように、プロセッサー１６２０を、制御リソースセットの構成を伝送するように構成することができ、この構成は、ＣＣＥ１０１１の４つのＲＥＧ及びＣＣＥ１０１２の４つのＲＥＧを対応する４つの物理ＲＥＧに別個にマッピングすること、即ち、ＲＥＧ／ＣＣＥから物理リソースエレメントへの分散式マッピングの指示を含む。また、例えば、図１１に示すように、プロセッサー１６２０を、制御リソースセットの構成を伝送するように構成することができ、この構成は、ＣＣＥ１１１１の４つのＲＥＧ及びＣＣＥ１１１２の４つのＲＥＧを対応する４つの物理ＲＥＧに連続的にマッピングすること、即ち、ＲＥＧ／ＣＣＥから物理リソースエレメントへの集中式マッピングの指示を含む。
【０１０２】
選択的に、プロセッサー１６２０を、制御リソースセットの構成を伝送するように構成することができ、この構成は、送信ダイバーシティ方式の指示を含む。例えば、プロセッサー１６２０を、制御リソースセットの構成を伝送するように構成することができ、この構成は、送信ダイバーシティ方式が空間周波数ブロックコード（ＳＦＢＣ）である指示を含む。したがって、プロセッサー１６２０を、ＳＦＢＣ送信ダイバーシティ方式でＰＤＣＣＨをユーザ機器１４０に伝送するように構成することができる。
【０１０３】
幾つかの実施例では、プロセッサー１６２０を、制御リソースセットの構成を伝送するように構成することができ、この構成は、参照信号割り当ての指示を含む。例えば、プロセッサー１６２０を、制御リソースセットの構成を伝送するように構成することができ、この構成は、周期的チャネル状態情報参照信号（ＣＳＩ−ＲＳ）を割り当て、第１０のアンテナポートを使用してＣＳＩ−ＲＳを伝送する指示を含む。ＣＳＩ−ＲＳのアンテナポートは、周波数領域及び時間領域におけるＣＳＩ−ＲＳ信号のパターンに関連付けられている。
【０１０４】
幾つかの実施例では、プロセッサー１６２０を、制御リソースセットの構成を伝送するように構成することができ、この構成は、物理リソースブロック（ＰＲＢ）バンドリングの指示を含む。例えば、図６に示すように、プロセッサー１６２０を、制御リソースセットの構成を伝送するように構成することができ、この構成は、２つのＲＥＧ６４１及び６４２を１つにバンドリングする指示を有する。言い換えれば、プロセッサー１６２０を、バンドリングされたＰＲＢのサイズが２つのＲＥＧに等しいことを指示するように構成することができる。ユーザ機器１４０は、制御リソースセットの構成からこの指示を受信したとき、１つにバンドリングされた２つのＲＥＧ６４１及び６４２におけるＰＤＣＣＨを検出することができる。図１０に示す別の例のように、プロセッサー１６２０を、制御リソースセットの構成を伝送するように構成することができ、この構成は、時間領域及び周波数領域において４つのＲＥＧを１つにバンドリングする指示を有する。ユーザ機器１４０は、制御リソースセットの構成を受信した後、それに応じて１つにバンドリングされた４つのＲＥＧにおけるＰＤＣＣＨを検出することができる。
【０１０５】
選択的に、プロセッサー１６２０を、制御リソースセットの構成を伝送するように構成することができ、この構成は、シンボルの数の指示を含む。例えば、図４に示すように、プロセッサー１６２０を、制御リソースセットの構成を伝送するように構成することができ、この構成は、制御リソースセットに２つのシンボル４３１及び４３２が含まれる指示を含む。図５の別の例のように、プロセッサー１６２０を、制御リソースセットの構成を伝送するように構成することができ、この構成には、制御リソースセットに３つのシンボル５３１、５３２及び５３３が含まれる指示を含む。
【０１０６】
幾つかの実施例では、プロセッサー１６２０を、制御リソースセットの構成を伝送するように構成することができ、この構成は、物理リソースブロック（ＰＲＢ）の指示を含む。例えば、図１１に示すように、プロセッサー１６２０を、制御リソースセットの構成を伝送するように構成することができ、この構成は、８つのＰＲＢを使用して制御リソースセットを伝送する指示を含む。
【０１０７】
また、プロセッサー１６２０を、開始ＰＲＢの指示を含む制御リソースセットの構成を伝送するように構成することができる。例えば、図１１に示すように、プロセッサー１６２０を、制御リソースセットの構成を伝送するように構成することができ、この構成は、シンボル１１３１における第２のＰＲＢが開始ＰＲＢである指示を含む。ユーザ機器１４０は、開始ＰＲＢの指示を含む制御リソースセットの構成を受信した後、それに応じてＰＤＣＣＨを検出することができる。
【０１０８】
幾つかの実施例では、プロセッサー１６２０を、第１の制御リソースセット及び第２の制御リソースセットの２つの構成を伝送するように構成することができる。第２の制御リソースセットの構成は、上述のような１つ又は複数の指示を含んでもよく、これらの指示は、第１の制御リソースセットの構成に含まれるものである。プロセッサー１６２０を、第１の制御リソースセットの構成を伝送するように構成するとき、プロセッサー１６２０を、第１の制御リソースセットの構成、第２のリソースセットの構成、又は第１の制御リソースセット及び第２の制御リソースセットの両方の構成に基づいて１つ又は複数の制御チャネルを伝送するように構成することができる。例えば、図４に示すように、プロセッサー１６２０を、ＰＤＣＣＨ候補４４１及び４４２の制御リソースセットの構成を伝送するとともに、ＰＤＣＣＨ候補４５１及び４５２の制御リソースセットの別の構成も伝送するように構成することができる。プロセッサー１６２０を、第１の制御リソースセット及び第２の制御リソースセットの構成に基づき、ＰＤＣＣＨ候補４４１及び４４２の制御リソースセットと、ＰＤＣＣＨ候補４５１及び４５２の制御リソースセットと、のうちのいずれか１つ、又はこの両方のうちの１つ又は複数のＰＤＣＣＨを伝送するように構成することができる。
【０１０９】
幾つかの実施例では、プロセッサー１６２０を、第１の制御リソースセットの構成及び第２の制御リソースセットの構成を伝送するように構成することができ、これらの構成は、少なくとも１つの一般的な指示を含み、この指示は、ＣＣＥ−ｔｏ−ＣＣＨマッピングの指示、ＣＣＥ−ｔｏ−ＲＥＧマッピングの指示、ＲＥＧ／ＣＣＥから物理リソースエレメントへのマッピングの指示、送信ダイバーシティ方式の指示、参照信号割り当ての指示、ＰＲＢバンドリングの指示、シンボルの数の指示、第１の制御リソースセット内の探索空間の開始シンボルの指示、ＰＲＢの数の指示又は開始ＰＲＢの指示を含む。
【０１１０】
例えば、図４に示すように、プロセッサー１６２０を、ＰＤＣＣＨ候補４４１及び４４２の制御リソースセットの構成と、ＰＤＣＣＨ候補４５１及び４５２の制御リソースセットの構成と、を伝送するように構成することができ、それらは、少なくとも１つの一般的な指示を含み、この指示は、周波数優先のＣＣＥ−ｔｏ−ＣＣＨマッピングの指示、周波数優先のＣＣＥ−ｔｏ−ＲＥＧマッピングの指示、ＲＥＧ／ＣＣＥから物理リソースエレメントへの集中式マッピングの指示、２つのＲＧＥのＰＲＢバンドリングの指示、シンボル数の指示、制御リソースセット内の探索空間の開始シンボルの指示又はＰＲＢ数の指示を含む。
【０１１１】
幾つかの実施例では、プロセッサー１６２０を、異なるシンボルにおける第１の制御リソースセットの構成及び第２の制御リソースセットの構成を伝送するように構成することができる。例えば、図５に示すように、プロセッサー１６２０を、シンボル５３１及び５３２におけるＰＤＣＣＨ探索空間５４０及び５５０の２つの構成をそれぞれ伝送するように構成することができる。
【０１１２】
選択的に、プロセッサー１６２０を、少なくとも１つの共通シンボルにおける第１の制御リソースセットの構成及び第２の制御リソースセットの構成を伝送するように構成することができる。例えば、図４に示すように、プロセッサー１６２０を、２つの共通シンボル４３１及び４３２におけるＰＤＣＣＨ候補４４１及び４４２の制御リソースセットの構成と、ＰＤＣＣＨ候補４５１及び４５２の第２の制御リソースセットの構成と、を伝送するように構成することができる。
【０１１３】
幾つかの実施例では、プロセッサー１６２０を、周波数において重なる第１の制御リソースセットの構成及び第２の制御リソースセットの構成を伝送するように構成することができる。例えば、図８に示すように、プロセッサー１６２０を、周波数において重なる集中式ＰＤＣＣＨマッピングを有するリソースセット８４０の構成及び分散式ＰＤＣＣＨマッピングを有するリソースセット８５０の構成を伝送するように構成することができる。
【０１１４】
選択的に、プロセッサー１６２０を、周波数において重ならない第１の制御リソースセットの構成及び第２の制御リソースセットの構成を伝送するように構成することができる。例えば、図４に示すように、プロセッサー１６２０を、周波数において重ならないＰＤＣＣＨ候補４４１及び４４２の制御リソースセットの構成と、ＰＤＣＣＨ候補４５１及び４５２の制御リソースセットの構成と、を伝送するように構成することができる。
【０１１５】
幾つかの実施例では、プロセッサー１６２０を、第１の制御リソースセット及び第２の制御リソースセットの構成を伝送するように構成することができ、この両方は、ＣＣＥ−ｔｏ−ＲＥＧマッピングの指示及びＣＣＥ−ｔｏ−ＣＣＨマッピングの指示を含み、ＣＣＥ−ｔｏ−ＲＥＧマッピングは、周波数優先マッピングであり、ＣＣＥ−ｔｏ−ＣＣＨマッピングも周波数優先マッピングである。また、第１の制御リソースセット及び第２の制御リソースセットを同じシンボルグループにおいて構成する。例えば、図１３に示すように、プロセッサー１６２０を、Ｆ＋Ｆ分散式ＰＤＣＣＨマッピングを有するリソースセット１３５１及びＦ＋Ｆ集中式ＰＤＣＣＨマッピングを有するリソースセット１３４１の構成を伝送するように構成することができ、この両方は、いずれもＣＣＥ−ｔｏ−ＲＥＧマッピングの指示及びＣＣＥ−ｔｏ−ＣＣＨマッピングの指示を含み、ＣＣＥ−ｔｏ−ＲＥＧマッピングは、周波数優先マッピングであり、ＣＣＥ−ｔｏ−ＣＣＨマッピングも周波数優先マッピングである。また、Ｆ＋Ｆ分散式ＰＤＣＣＨマッピングを有するリソースセット１３５１及びＦ＋Ｆ集中式ＰＤＣＣＨマッピングを有するリソースセット１３４１を同じシンボル１３３１において構成する。
【０１１６】
幾つかの実施例では、プロセッサー１６２０を、第１の制御リソースセット及び第２の制御リソースセットの構成を伝送するように構成することができ、それらは、いずれもＣＣＥ−ｔｏ−ＲＥＧマッピングの指示及びＣＣＥ−ｔｏ−ＣＣＨマッピングの指示を含み、ＣＣＥ−ｔｏ−ＲＥＧマッピングは、時間優先マッピングであり、ＣＣＥ−ｔｏ−ＣＣＨマッピングは、周波数優先マッピングである。また、第１の制御リソースセット及び第２の制御リソースセットを同じシンボルグループにおいて構成する。例えば、図１３に示すように、プロセッサー１６２０を、Ｔ＋Ｆ集中式ＰＤＣＣＨマッピングを有するリソースセット１３４２及びＴ＋Ｆ分散式ＰＤＣＣＨマッピングを有するリソースセット１３５２の構成を伝送するように構成することができ、それらは、いずれもＣＣＥ−ｔｏ−ＲＥＧマッピングの指示及びＣＣＥ−ｔｏ−ＣＣＨマッピングの指示を含み、ＣＣＥ−ｔｏ−ＲＥＧマッピングは、時間優先マッピングであり、ＣＣＥ−ｔｏ−ＣＣＨマッピングは、周波数優先マッピングである。また、Ｔ＋Ｆ集中式ＰＤＣＣＨマッピングを有するリソースセット１３４２及びＴ＋Ｆ分散式ＰＤＣＣＨマッピングを有するリソースセット１３５２を同じシンボルグループ１３３２及び１３３３において構成する。
【０１１７】
幾つかの実施例では、プロセッサー１６２０を、第１の制御リソースセットの構成を伝送するように構成することができ、この構成は、ＣＣＥ−ｔｏ−ＲＥＧマッピングの指示及びＣＣＥ−ｔｏ−ＣＣＨマッピングの指示を含み、ＣＣＥ−ｔｏ−ＲＥＧマッピングは、周波数優先マッピングであり、ＣＣＥ−ｔｏ−ＣＣＨマッピングも周波数優先マッピングである。また、プロセッサー１６２０を、第２の制御リソースセットの構成を伝送するように構成することができ、この構成は、ＣＣＥ−ｔｏ−ＲＥＧマッピングの指示及びＣＣＥ−ｔｏ−ＣＣＨマッピングの指示を含み、ＣＣＥ−ｔｏ−ＲＥＧマッピングは、時間優先マッピングであり、ＣＣＥ−ｔｏ−ＣＣＨマッピングは、周波数優先マッピングである。また、第１の制御リソースセット及び第２の制御リソースセットを異なるシンボルグループにおいて構成する。例えば、図１３に示すように、プロセッサー１６２０を、Ｆ＋Ｆ分散式ＰＤＣＣＨマッピングを有するリソースセット１３５１及びＴ＋Ｆ分散式ＰＤＣＣＨマッピングを有するリソースセット１３５２の構成を伝送するように構成することができ、これらの構成は、いずれもＣＣＥ−ｔｏ−ＣＣＨマッピングの指示を含み、ＣＣＥ−ｔｏ−ＣＣＨマッピングは、周波数優先マッピングである。Ｆ＋Ｆ分散式ＰＤＣＣＨマッピングを有するリソースセット１３５１の構成は、ＣＣＥ−ｔｏ−ＲＥＧマッピングの指示を含み、ＣＣＥ−ｔｏ−ＲＥＧマッピングは、時間優先マッピングである。Ｔ＋Ｆ分散式ＰＤＣＣＨマッピングを有するリソースセット１３５２は、ＣＣＥ−ｔｏ−ＲＥＧマッピングの指示を含み、ＣＣＥ−ｔｏ−ＲＥＧマッピングは、周波数優先マッピングである。また、１つのシンボルグループ１３３１及び別のシンボルクループ１３３２及び１３３３においてＦ＋Ｆ分散式ＰＤＣＣＨマッピングを有するリソースセット１３５１及びＴ＋Ｆ分散式ＰＤＣＣＨマッピングを有するリソースセット１３５２をそれぞれ構成する。
【０１１８】
幾つかの実施例では、プロセッサー１６２０を、第１の探索空間の構成を第１のユーザ機器に伝送し、第２の探索空間の構成を第２のユーザ機器に伝送するように構成することができる。第１の探索空間及び第２の探索空間は、制御リソースセットにある。第１の探索空間及び第２の探索空間は、共通ＣＣＥ−ｔｏ−ＣＣＨマッピング、共通ＣＣＥ−ｔｏ−ＲＥＧマッピング又は共通ＲＥＧ／ＣＣＥマッピングを含む。例えば、プロセッサー１６２０を、図８の集中式ＰＤＣＣＨマッピングを有するリソースセット８４０における第１の探索空間の構成をユーザ機器１４０に伝送し、同じリソースセットにおける第２の探索空間の構成をユーザ機器１６０に伝送するように構成することができる。ユーザ機器１４０の第１の探索空間は、集中式ＰＤＣＣＨマッピングを有するリソースセット８４０におけるＣＣＥ  ＡＬ＝１及び２のときのＰＤＣＣＨ候補を含む。ユーザ機器１６０の第２の探索空間は、集中式ＰＤＣＣＨマッピングを有するリソースセット８４０におけるＣＣＥ  ＡＬ＝４及び８のときのＰＤＣＣＨ候補を含む。集中式ＰＤＣＣＨマッピングを有するリソースセット８４０における第１の探索空間及び第２の探索空間は、集中式ＰＤＣＣＨマッピングを有するリソースセット８４０に使用するために、上述のような共通ＣＣＥ−ｔｏ−ＣＣＨマッピング、共通ＣＣＥ−ｔｏ−ＲＥＧマッピング又は共通ＲＥＧ／ＣＣＥマッピングを含む。
【０１１９】
幾つかの実施例では、プロセッサー１６２０を、第１の探索空間の構成及び第２の探索空間の構成をユーザ機器に伝送するように構成することができる。第１の探索空間及び第２の探索空間は、異なる制御リソースセットにある。第１の探索空間及び第２の探索空間は、１つ又は複数の共通シンボルにある。例えば、プロセッサー１６２０を、図１２のＴ＋Ｆ集中式ＰＤＣＣＨマッピングを有するリソースセット１２４１における第１の探索空間の構成及び図１２のＴ＋Ｆ分散式ＰＤＣＣＨマッピングを有するリソースセット１２５１における第２の探索空間の別の構成をユーザ機器１４０に伝送するように構成することができる。第１の探索空間及び第２の探索空間は、異なる制御リソースセットにあるが、それらは共通シンボル１２３１及び１２３２にある。
【０１２０】
幾つかの実施例では、プロセッサー１６２０を、第１の探索空間の構成及び第２の探索空間の構成をユーザ機器に伝送するように構成することができる。第１の探索空間及び第２の探索空間は、異なる制御リソースセットにある。第１の探索空間及び第２の探索空間は、１つ又は複数の異なるシンボルにある。例えば、プロセッサー１６２０を、図１３のＦ＋Ｆ分散式ＰＤＣＣＨマッピングを有するリソースセット１３５１における第１の探索空間の構成及び図１３のＴ＋Ｆ分散式ＰＤＣＣＨマッピングを有するリソースセット１３５１における第２の探索空間の構成をユーザ機器１４０に伝送するように構成することができる。第１の探索空間及び第２の探索空間は、異なる制御リソースセットにあり、シンボル１３３１、シンボル１３３２及び１３３３にそれぞれある。
【０１２１】
図１７は、本発明の幾つかの実施例に係る無線通信システム内の制御チャネルを検出するための例示的なユーザ機器１７００の概略図である。図１に示すユーザ機器１４０又は１６０を、ユーザ機器１７００として構成することができる。ユーザ機器１７００は、メモリ１７１０、プロセッサー１７２０、ストレージ１７３０、Ｉ／Ｏインターフェース１７４０及び通信ユニット１７５０を備える。無線通信システム内で制御チャネルの構成を受信し、及び／又は制御チャネルを検出するために、ユーザ機器１７００のこれらの要素のうちの１つ又は複数を備えてもよい。これらの要素を、互いにデータを伝送し、命令を送信又は受信するように構成することができる。
【０１２２】
プロセッサー１７２０は、任意の適切なタイプの汎用又は専用マイクロプロセッサー、デジタル信号プロセッサー又はマイクロコントローラを含む。メモリ１７１０及びストレージ１７３０を、メモリ１６１０及びストレージ１６３０について上述したように構成することができる。また、メモリ１７１０及び／又はストレージ１７３０を、プロセッサー１７２０が使用する情報及びデータを格納するように構成することができる。例えば、メモリ１７１０及び／又はストレージ１７３０を、ユーザ機器１７００の受信された制御リソースセットの構成及びその中の指示を格納するように構成することができる。
【０１２３】
Ｉ／Ｏインターフェース１７４０を、ユーザ機器１７００と他の装置との間の通信を促進するように構成することができる。例えば、Ｉ／Ｏインターフェース１６４０は、システム構成情報を含む別の装置（例えば、コンピュータ）からユーザ機器１７００のために信号を受信することができる。Ｉ／Ｏインターフェース１７４０はまた、他の装置に検出統計資料のデータを出力することができる。
【０１２４】
通信ユニット１７５０は、１つ又は複数のセルラー通信モジュールを備えることができ、これらのセルラー通信モジュールは、例えば５Ｇ無線システム、ロングタームエボリューション（ＬＴＥ）、高速パケットアクセス（ＨＳＰＡ）、広帯域符号分割多元接続（ＷＣＤＭＡ）及び／又はグローバルモバイル通信システム（ＧＳＭ）通信モジュールを含む。
【０１２５】
プロセッサー１７２０を、通信ユニット１７５０を介して制御リソースセットの構成を受信するように構成することができる。例えば、図４に示すように、プロセッサー１７２０を、ＰＤＣＣＨ領域４６０内でＰＤＣＣＨ伝送を行うために、通信ユニット１７５０を介して基地局１２０からＰＤＣＣＨ候補４４１及び４４２の制御リソースセットの構成を受信するように構成することができる。また、プロセッサー１７２０を、構成により１つ又は複数の指示を決定するように構成することができ、これらの指示は、ＰＤＣＣＨ候補４４１及び４４２の制御リソースセット内の探索空間の開始シンボルの指示、ＣＣＥ−ｔｏ−ＣＣＨマッピングの指示、ＣＣＥ−ｔｏ−ＲＥＧマッピングの指示、ＲＥＧ／ＣＣＥから物理リソースエレメントへのマッピングの指示、基地局１２０が使用する送信ダイバーシティ方式の指示、参照信号割り当ての指示、ＰＲＢバンドリングの指示、シンボルの数の指示、物理リソースブロック（ＰＲＢ）の指示及び開始ＰＲＢの指示を含む。
【０１２６】
上述のように、基地局１２０は、図２〜図１３を参照して上述された制御リソースセットの構成を伝送することができる。プロセッサー１７２０を、基地局１２０からの制御リソースセットの構成に基づき、そのＰＤＣＣＨを検出及び受信するように構成することができる。
【０１２７】
また、プロセッサー１７２０を、ユーザ機器が通信ユニット１７５０を介して探索空間の構成を受信するように構成することができる。例えば、図５に示すように、プロセッサー１７２０を、通信ユニット１７５０を介して基地局１２０から２つのシンボル５３１及び５３２における２つのＰＤＣＣＨ探索空間５４０及び５５０の構成を受信するように構成することができる。この構成は、シンボル５３１においてＰＤＣＣＨ探索空間５４０が構成され、シンボル５３２においてＰＤＣＣＨ探索空間５５０が構成されることを指示する。この構成はまた、ＰＤＣＣＨ探索空間５４０及び５５０のＣＣＥ  ＡＬを指示することができる。選択的に、この構成は、ビーム＃１内でシンボル５３１を伝送し、ビーム＃２内でシンボル５３１を伝送することを指示する。プロセッサー１７２０を、受信されたＰＤＣＣＨ探索空間５４０及び５５０の構成に基づいてそのＰＤＣＣＨを探索及び検出するように構成することができる。
【０１２８】
また、プロセッサー１７２０を、制御リソースセットの構成に基づいて制御リソースセットにおける制御チャネルを検出するように構成することができる。例えば、プロセッサー１７２０を、受信された構成及びその中の指示に基づいてＰＤＣＣＨ探索空間５４０及び５５０におけるＰＤＣＣＨを検出するように構成することができる。例えば、プロセッサー１７２０を、決定された指示に基づき、図９の集中式ＰＤＣＣＨマッピングを有するリソースセット９４１及び９４２内のＰＤＣＣＨを検出するように構成することができ、これらの指示は、ＰＤＣＣＨ候補４４１及び４４２の制御リソースセット内の探索空間の開始シンボルの指示、ＣＣＥ−ｔｏ−ＣＣＨマッピングの指示、ＣＣＥ−ｔｏ−ＲＥＧマッピングの指示、ＲＥＧ／ＣＣＥから物理リソースエレメントへのマッピングの指示、基地局１２０が使用する送信ダイバーシティ方式の指示、参照信号割り当ての指示、ＰＲＢバンドリングの指示、シンボルの数の指示、物理リソースブロック（ＰＲＢ）の指示及び開始ＰＲＢの指示を含む。
【０１２９】
選択的に、プロセッサー１７２０を、通信ユニット１７５０を介して基地局１２０から図２〜図１３を参照して上述された制御リソースセットの１つ又は複数の構成を受信するように構成することができる。プロセッサー１７２０を、構成及びその中の指示に基づいて基地局１２０からそのＰＤＣＣＨを検出するように構成することができる。
【０１３０】
本発明の別の態様は、実行されると、１つ又は複数のプロセッサーに本発明の実施例と一致する方法を実行させる複数の命令を格納する非一時的コンピュータ読み取り可能な媒体に関する。コンピュータ読み取り可能な媒体は、揮発性又は不揮発性、磁気、半導体、テープ、光学、リムーバブル、非リムーバブル又は他のタイプのコンピュータ読み取り可能な媒体又はコンピュータ読み取り可能な記憶機器を含んでもよい。例えば、開示されるように、コンピュータ読み取り可能な媒体は、コンピュータ命令が格納された記憶機器又はメモリモジュールであってもよい。幾つかの実施例では、コンピュータ読み取り可能な媒体は、コンピュータ命令が格納された光ディスク又はフラッシュメモリドライブであってもよい。
【０１３１】
本発明は、上記で記述され、図面で図示した特定の構成に限定されず、その範囲を離脱しない状況で、様々な修正や変更を実施してもよい。本発明の範囲は、添付される特許請求の範囲のみにより限定される。
【図１】
2020519053.tif 000003
【図２】
2020519053.tif 000004
【図３】
2020519053.tif 000005
【図４】
2020519053.tif 000006
【図５】
2020519053.tif 000007
【図６】
2020519053.tif 000008
【図７】
2020519053.tif 000009
【図８】
2020519053.tif 000010
【図９】
2020519053.tif 000011
【図１０】
2020519053.tif 000012
【図１１】
2020519053.tif 000013
【図１２】
2020519053.tif 000014
【図１３】
2020519053.tif 000015
【図１４】
2020519053.tif 000016
【図１５】
2020519053.tif 000017
【図１６】
2020519053.tif 000018
【図１７】
2020519053.tif 000019
【国際調査報告】
2020519053.tif 000020
2020519053.tif 000021